(57)【要約】【課題】  遊技制御装置を共通利用可能な部分と、機種に依存する部分とに分離可能な構成にすると共に、この分離可能な構成においても、ノイズ等の外的要因の影響を受け難く、かつＣＰＵ及びＲＯＭが配置される共通部分を詳細に視認可能な遊技機を提供する。【解決手段】  遊技制御装置３１を備えた遊技機であって、遊技制御装置３１は、内部が透視可能に形成された樹脂製の第１ケース７１に収納される主基板５０と、導電性の部材からなる第２ケース９１に収納された副基板６０とから成り、ＣＰＵ等を備えた主基板５０と、各種センサの入力回路等を備えた副基板６０とは、第１ケース７１の主基板５０に設けられた第１コネクタ１００と、第２ケース９１の副基板６０に設けられた第２コネクタ１１０とを接続して制御線が連結するように構成し、第１ケース７１の背面に第２ケース９１を配置する。【選択図】図３
2005118165.tif 000002
【特許請求の範囲】
【請求項１】
遊技領域における遊技を統括的に制御する遊技制御装置を備えた遊技機において、
前記遊技制御装置は、
内部が透視可能に形成された樹脂製の第１ケースに収納される主基板と、
導電性の部材からなる第２ケースに収納された副基板と、
から成り、
前記副基板は、
前記遊技領域に設けられる各種センサの入力回路と、
前記遊技領域に設けられる各種電動式役物装置の出力回路と、
を備え、
前記主基板は、
遊技プログラムが記録されたＲＯＭと、
前記ＲＯＭに記録された遊技プログラムに基づいて入出力を管理して遊技の制御を行うＣＰＵと、
前記ＣＰＵを動作させるクロックと、
前記ＣＰＵのワーク領域としてのＲＡＭと、
前記入力回路及び前記出力回路を選択するためのデコーダ回路と、
を備え、
前記主基板と前記副基板とは、
前記第１ケースの開口部から臨む主基板に設けられた第１コネクタと、前記第２ケースの開口部から臨む副基板に設けられた第２コネクタと、を接続して制御線が連結するように構成し、
前記主基板が収納される第１ケースの背面に、前記副基板が収納される第２ケースを配置すると共に、前記副基板のＧＮＤを第２ケースに導通するように構成したことを特徴とする遊技機。
【請求項２】
前記第２ケースは、
前記副基板を収納可能に中空箱形状に形成すると共に、該中空箱形状の周縁部の一部に前記第１ケースが収まるように上面及び側面が開放した導電性の壁部から成る凹室を形成し、
該凹室内に前記第１ケースを配置したことを特徴とする請求項１に記載の遊技機。
【請求項３】
前記第２ケースは、
前記副基板を収納可能に中空箱形状に形成すると共に、該中空箱形状の中央部に前記第１ケースが収まるように上面が開放した導電性の壁部から成る凹室を形成し、
該凹室内に前記第１ケースを配置したことを特徴とする請求項１に記載の遊技機。
【請求項４】
前記第２ケースは、
内部を視認可能な開口が形成されていることを特徴とする請求項１から３のいずれかに記載の遊技機。
【請求項５】
前記第２ケースは、
内部を視認可能な開口が形成された導電性の部材から成る中空箱形状の内箱と、
該内箱が収納される透明な樹脂製の外箱から構成したことを特徴とする請求項１から３のいずれかに記載の遊技機。
【請求項６】
前記第２ケースの外面には、先端部に係合爪が形成された第１腕部及び第２腕部を突設し、
前記第１腕部及第２腕部によって前記第１ケースを第２ケースに重ねた状態で挟持すると共に、第１ケースに形成された係合溝に前記係合爪を係合させて第１ケースと第２ケースとを一体化させたことを特徴とする請求項５に記載の遊技機
【請求項７】
前記遊技制御装置に各種直流電源を供給する電源装置を備え、
前記電源装置から供給される各種直流電源は、前記副基板に供給して該副基板から主基板にロジック電源を供給するように構成したことを特徴とする請求項１から６のいずれかに記載の遊技機。
【発明の詳細な説明】
【技術分野】
【０００１】
本発明は、遊技領域における遊技を統括的に制御する遊技制御装置を備えたパチンコ機などの遊技機に関する。
【背景技術】
【０００２】
パチンコ機、パチスロ機、雀球機、アレンジボール機等の遊技機では、遊技制御装置によって、遊技領域における遊技が統括的に制御されている。例えば、パチンコ機の遊技制御装置は、一枚のプリント基板上に、ＣＰＵ、ＲＯＭ、ＲＡＭ（或いは、ＣＰＵ及びＲＡＭが一体になったチップや、ＣＰＵ、ＲＡＭ及びＲＯＭが一体になったチップ）を備えると共に、クロック回路、入出力回路、デコーダ回路等を備えており、弾発された打球に基づいて、遊技領域に設けられる各種センサや各種電動式役物装置が制御され、遊技が進行される。
【０００３】
遊技制御装置は、遊技を統括的に制御する基板として構成されているため、該制御基板が不正に改造されているか否かを監視する必要があり、内部が視認可能な透明な樹脂製ケース内に収納されている。従前は、ノイズ等による誤動作を防止するために遊技制御装置を金属ケース内に収納し、基板上のＲＯＭが視認可能なように金属ケースに開口を開設したていたが、近年は不正の手口も巧妙となっているので、ケース内の内部全体を詳細に視認しうるように透明な樹脂製ケースを用いている。
【０００４】
ところで、近年、コンピュータのリサイクルが促進されているが、パチンコ機等の遊技機においても、地球環境等を考慮して、各種部品や各種電子装置等のリサイクルや共通化が図られている。
【０００５】
上述した遊技制御装置は、共通的に利用できるＣＰＵ、ＲＡＭ、クロック回路及びデコーダ回路と、機種に依存してしまうＲＯＭや入出力回路とに区分でき、リサイクル等を考慮すると、これらの共通部分と機種依存部分とを分離可能な構成とし、共通部分を再利用することが望ましい。
【０００６】
これに関連する技術としては、例えば、特開平０１−１７１５８５号公報（特許文献1）に「遊技機器の制御装置」に係る発明が提案されている。この発明は、遊技機器に設けた入力装置から入力される信号に応じ予め格納された遊技手順に基づいて前記遊技機器に設けた出力装置を制御する制御回路を有し、該制御回路を複数種の前記遊技機器にそれぞれ共通使用可能な共通回路と前記複数種の各遊技機器にそれぞれ固有な非共通回路とで構成し、前記共通回路または非共通回路を集積回路によって形成することを要旨としており、共通回路を共通利用して生産性の向上を図っている。また、この特許文献１の図８に関する説明において、共通部分の基板と非共通部分の基板とをコネクタを介して分離可能な構成としている旨が開示されている。
【特許文献１】特開平０１−１７１５８５号公報
【発明の開示】
【発明が解決しようとする課題】
【０００７】
しかしながら、上記特許文献に記載されたように、単に共通部分と機種依存部分とを分離可能な構成にすると、共通部分を構成するＣＰＵ等（なお、ＲＯＭはソケットとし共通部分に配置する）と、機種依存する入出力回路とを、コネクタを介して制御線で接続しなければならず、ノイズ等の外的要因による影響を受けて誤動作の虞れが大きくなるため、ノイズ等の影響を受けにくい構成を採用する必要がある。
【０００８】
また、ノイズ等の影響を受けにくい構成を採用しつつ、不正行為の監視を考慮して、ＣＰＵ及びＲＯＭが配置される共通部分は内部全体を詳細に視認しうる構成としなければならない。
【０００９】
そこで、本発明は、上記課題に鑑みて提案されたものであり、遊技制御装置を共通利用可能な部分と、機種に依存する部分とに分離可能な構成にすると共に、この分離可能な構成においても、ノイズ等の外的要因の影響を受け難く、かつＣＰＵ及びＲＯＭが配置される共通部分を詳細に視認可能な遊技機を提供することを目的とする。
【課題を解決するための手段】
【００１０】
上記の目的を達成すべく、請求項１に記載のものは、遊技領域における遊技を統括的に制御する遊技制御装置を備えた遊技機において、
前記遊技制御装置は、
内部が透視可能に形成された樹脂製の第１ケースに収納される主基板と、
導電性の部材からなる第２ケースに収納された副基板と、
から成り、
前記副基板は、
前記遊技領域に設けられる各種センサの入力回路と、
前記遊技領域に設けられる各種電動式役物装置の出力回路と、
を備え、
前記主基板は、
遊技プログラムが記録されたＲＯＭと、
前記ＲＯＭに記録された遊技プログラムに基づいて入出力を管理して遊技の制御を行うＣＰＵと、
前記ＣＰＵを動作させるクロックと、
前記ＣＰＵのワーク領域としてのＲＡＭと、
前記入力回路及び前記出力回路を選択するためのデコーダ回路と、
を備え、
前記主基板と前記副基板とは、
前記第１ケースの開口部から臨む主基板に設けられた第１コネクタと、前記第２ケースの開口部から臨む副基板に設けられた第２コネクタと、を接続して制御線が連結するように構成し、
前記主基板が収納される第１ケースの背面に、前記副基板が収納される第２ケースを配置すると共に、前記副基板のＧＮＤを第２ケースに導通するように構成したことを特徴とする遊技機である。
【００１１】
請求項２に記載のものは、前記第２ケースは、
前記副基板を収納可能に中空箱形状に形成すると共に、該中空箱形状の周縁部の一部に前記第１ケースが収まるように上面及び側面が開放した導電性の壁部から成る凹室を形成し、
該凹室内に前記第１ケースを配置したことを特徴とする請求項１に記載の遊技機である。
【００１２】
請求項３に記載のものは、前記第２ケースは、
前記副基板を収納可能に中空箱形状に形成すると共に、該中空箱形状の中央部に前記第１ケースが収まるように上面が開放した導電性の壁部から成る凹室を形成し、
該凹室内に前記第１ケースを配置したことを特徴とする請求項１に記載の遊技機である。
【００１３】
請求項４に記載のものは、前記第２ケースは、
内部を視認可能な開口が形成されていることを特徴とする請求項１から３のいずれかに記載の遊技機である。
【００１４】
請求項５に記載のものは、前記第２ケースは、
内部を視認可能な開口が形成された導電性の部材から成る中空箱形状の内箱と、
該内箱が収納される透明な樹脂製の外箱から構成したことを特徴とする請求項１から３のいずれかに記載の遊技機である。
【００１５】
請求項６に記載のものは、前記第２ケースの外面には、先端部に係合爪が形成された第１腕部及び第２腕部を突設し、
前記第１腕部及第２腕部によって前記第１ケースを第２ケースに重ねた状態で挟持すると共に、第１ケースに形成された係合溝に前記係合爪を係合させて第１ケースと第２ケースとを一体化させたことを特徴とする請求項５に記載の遊技機である
【００１６】
請求項７に記載のものは、前記遊技制御装置に各種直流電源を供給する電源装置を備え、
前記電源装置から供給される各種直流電源は、前記副基板に供給して該副基板から主基板にロジック電源を供給するように構成したことを特徴とする請求項１から６のいずれかに記載の遊技機である。
【発明の効果】
【００１７】
本発明の遊技機によれば、次のような優れた効果を奏する。
すなわち、請求項１に記載の発明によれば、遊技制御装置が、共通利用可能な部分であるＣＰＵ及びＲＯＭ等を備えた主基板と、機種に依存する部分である各種センサの入力回路及び各種電動式役物装置の出力回路を備えた副基板とに区分され、内部が透視可能に形成された樹脂製の第１ケースに主基板が収納されると共に、導電性の部材からなる第２ケースに副基板が収納されており、主基板と副基板とは、第１ケースの開口部から臨む主基板に設けられた第１コネクタと、第２ケースの開口部から臨む副基板に設けられた第２コネクタとを接続して制御線が連結するように構成しているので、共通利用可能な部分と機種に依存する部分とが分離可能である。また、主基板が収納される第１ケースの背面に、副基板が収納される第２ケースを配置すると共に、副基板のＧＮＤを第２ケースに導通するように構成したので、この分離可能な構成を採ってもノイズ等の外的要因の影響を受け難く、誤作動を防止することができる。さらに、ＣＰＵ及びＲＯＭが配置される共通部分である主基板は樹脂製の第１ケースに収納されているので、詳細に視認可能である。
【００１８】
請求項２に記載の発明によれば、副基板を収納する中空箱形状に形成した第２ケースの周縁部に第１ケースが収まるように凹室を形成し、この凹室内に主基板を収納する樹脂製の第１ケースを配置しているので、この第１ケースを第２ケースの凹室に取り付けた状態であってもＣＰＵ及びＲＯＭが配置される共通部分を詳細に視認可能であり、分離作業や第１ケースの封止作業を行い易い。また凹室は、上面及び側面が開放した導電性の壁部から成っているので、第１ケースに収納されている主基板もノイズ等の外的要因の影響を受け難く、誤作動が防止することができる。
【００１９】
請求項３に記載の発明によれば、副基板を収納する中空箱形状に形成した第２ケースの中央部に第１ケースが収まるように凹室を形成し、この凹室内に主基板を収納する樹脂製の第１ケースを配置しているので、この第１ケースを第２ケースの凹室に取り付けた状態であってもＣＰＵ及びＲＯＭが配置される共通部分を詳細に視認可能である。また凹室は、上面が開放した導電性の壁部から成っており、周囲が導電性部材で覆われているので、第１ケースに収納されている主基板もノイズ等の外的要因の影響を受け難く、誤作動が防止することができる。
【００２０】
請求項４に記載の発明によれば、導電性の部材からなる第２ケースには、内部を視認可能な開口が形成されているので、副基板上の機種に依存する制御部品をも視認可能である。
【００２１】
請求項５に記載の発明によれば、第２ケースは、内部を視認可能な開口が形成された導電性の部材から成る中空箱形状の内箱と、該内箱が収納される透明な樹脂製の外箱から構成されているので、副基板上の機種に依存する制御部品をも視認可能に構成しつつ、第２ケース内への不正侵入を確実に防止することができる。
【００２２】
請求項６に記載の発明によれば、請求項５に記載の発明において、第２ケースの外面に、先端部に係合爪が形成された第１腕部及び第２腕部が突設され、第１腕部及第２腕部によって第１ケースを挟持すると共に、第１ケースに形成された係合溝に前記係合爪を係合させて、第１ケースと第２ケースとを一体化させているので、第１ケースが第２ケース上に搭載されていても、第１ケースを確実に保持することができ、係合溝と係合爪との係合を位置決めとして、第１コネクタと第２コネクタとの連結を確実に行うことができる。
【００２３】
請求項７に記載の発明によれば、遊技制御装置に各種直流電源を供給する電源装置を備え、この電源装置から供給される各種直流電源は副基板に供給して、該副基板から主基板にロジック電源を供給するように構成したので、共通利用可能な部分である主基板と機種に依存する部分である副基板とを分離可能に構成しても、確実に安定した電源供給を行うことができる。
【発明を実施するための最良の形態】
【００２４】
以下、本発明の実施の形態を図面に基づいて説明する。なお、以下の説明は、代表的な遊技機であるパチンコ遊技機（以下、単に「遊技機」と称する。）を例に挙げて説明する。
【００２５】
遊技機１は、図１に示すように、機枠により囲われており、この機枠に開口部を有する額縁状の前面枠２を開閉可能に取り付けてある。この前面枠２には、遊技盤３を取り付けると共に、開口部を前方から塞ぐようにして、透明なガラスや樹脂板で構成された前面透視部材を備える前面カバー部材４と、前面に上皿５を設けた開閉パネル６とを開閉可能に取り付ける。そして、前面カバー部材４の閉止状態では、遊技盤３の遊技領域７が前面透視部材を介して臨む。また、開閉パネル６の下方には下皿８を設けてあり、この下皿８の左側には灰皿９を、右側には発射操作ハンドル１０をそれぞれ設ける。また、この遊技機１には、装飾用ランプや装飾用ＬＥＤ等の装飾発光装置１１、及び効果音や音声メッセージ等を出力可能なスピーカ４４（図２参照）も備えられる。
【００２６】
上記遊技盤３の前面側表面には、ガイドレール等の区画部材１２を配設しており、この区画部材１２によって遊技領域７が区画されている。この遊技領域７の略中央には変動表示装置１３が配設され、この変動表示装置１３よりも下方には特別変動入賞装置としての大入賞口１４が配設される。そして、変動表示装置１３と大入賞口１４との間には、始動入賞口１５が配設される。また、遊技領域７の各所には、複数の一般入賞口１６…が配設されると共に、一対の普図ゲート１７，１７が配設されている。この他に、遊技領域７内の適宜箇所には風車等の転動誘導部材１９が適宜配設され、遊技領域７内の最下部にはアウト球が流入するアウト口１８が設けられる。
【００２７】
上記の変動表示装置１３は特別図柄表示装置とも呼ばれ、表示装置の一種である。この変動表示装置１３は、演出制御装置２１（図２参照）によってその表示が制御され、識別図柄を変動表示する一連の変動表示ゲームや客待ち画面等、遊技機１の状態に応じて種々の表示を行う。この変動表示装置１３は、例えば、ＬＣＤ（液晶表示器）やＣＲＴ（ブラウン管）等の画像表示装置で構成され、識別図柄としては、数字、漢字やアルファベット等の文字、シンボルマーク等が用いられる。
【００２８】
始動入賞口１５は、遊技球（打球）の入賞が変動表示ゲームの実行条件に設定された入賞口である。即ち、この始動入賞口１５に入賞した遊技球が特図始動センサ２４（図２参照）で検出されると、この検出情報に基づく抽選結果が始動記憶として一旦記憶される。そして、この始動記憶に基づく表示制御情報を演出制御装置２１が受信すると変動表示ゲームが行われる。なお、始動記憶は、記憶可能な最大数が規定されており、例えば４個である。この記憶数は、始動記憶表示器によって表示される。本実施形態の始動記憶表示器は、変動表示装置１３の画像表示領域に表示される。
【００２９】
また、本実施形態における始動入賞口１５は、羽根部材を有する普通電動役物として構成され、羽根部材が普電ソレノイド２５（図２参照）によって通常状態と開放状態とに切り替えできる。そして、開放状態に切り替えると、始動入賞口１５への入賞し易さが通常状態よりも高くなる。
【００３０】
大入賞口１４は、大入賞口ソレノイド２６（図２参照）によって閉状態と開状態に変換可能であり、変動表示ゲームの大当たりによってなされる特別遊技（遊技者に対する特典であり、遊技価値の付与に相当する。）において適宜開状態に変換される。そして、開状態において遊技球はこの大入賞口１４に容易に入賞可能である。
【００３１】
上記の発射操作ハンドル１０は、遊技球（持ち球）を発射する際に操作される。この発射操作ハンドル１０の操作により、遊技球は遊技領域７に向けて発射される。そして、遊技領域７に達した遊技球は、障害釘（図示せず）や転動誘導部材等によって方向を変えながら遊技領域７内を流下する。
【００３２】
次に、遊技機１の電気的構成（制御系）について説明する。ここで、図２は、遊技制御装置を中心とする制御系を示すブロック図である。
図２において、遊技制御装置３１は、遊技を統括的に制御する遊技制御手段として機能する。この遊技制御装置３１は、共通利用可能な部分である主基板５０と、機種依存する部分である副基板６０との２枚の基板により構成され、それぞれの基板を第１コネクタ１００と第２コネクタ１１０とにより相互接続している。
【００３３】
主基板５０は、クロック信号を発生する発振器５１、遊技制御を司るＣＰＵ５２、遊技制御時にワークエリアとして利用されるＲＡＭ５３、遊技制御のための不変の情報を記憶しているＲＯＭ５４、ＣＰＵ５２からアドレスを指定するアドレス信号を伝達するアドレスバス５５、ＣＰＵ５２との間でデータ信号の送受を行うデータバス５６、ＣＰＵ５２からの各種制御信号（データの書込みを指示するライト信号、データの読出しを指示するリード信号を含む）を伝達する制御バス５７、及びＣＰＵ５２からアクセスされる回路を選択するデコード回路５８等から構成される。なお、デコード回路５８からは、出力ポートとして機能するラッチ回路６１ａ，６１ｂや、入力ポートとして機能するバッファ回路６５ａ，６５ｂのうち、１つの回路を選択するためのセレクト信号が出力されるようになっており、このセレクト信号はアドレス信号をデコードすることにより生成されるようになっている。
【００３４】
この様に、本実施形態では発振器５１がＣＰＵを動作させるクロックに、ＲＡＭ５３がＣＰＵのワーク領域としてのＲＡＭに、ＲＯＭ５４が遊技プログラムが記録されたＲＯＭに、ＣＰＵ５２がＲＯＭに記録された遊技プログラムに基づいて入出力を管理して遊技の制御を行うＣＰＵに、デコード回路５８が入力回路及び出力回路を選択するためのデコーダ回路にそれぞれ相当している。
【００３５】
副基板６０は、入力インターフェイス部、出力インターフェース部、電源回路部により構成されている。
【００３６】
入力インターフェイス部は、遊技領域に設けられる各種センサの入力回路に相当するものであり、外部からのノイズ入力を除去するフィルタ回路６７ａ、６７ｂと、ノイズ除去された各種センサの電圧信号をＣＰＵ５２で認識可能な電圧の信号に変換する電圧変換回路６６ａ、６６ｂと、電圧変換された信号を主基板５０のデータバス５６側に受け渡すバッファ回路６５ａ、６５ｂとにより構成された回路ブロックである。
【００３７】
出力インターフェイス部は、遊技領域に設けられる各種電動式役物装置の出力回路に相当するものであり、ＣＰＵ５２からのデータ信号を保持するラッチ回路６１ａ、６１ｂと、ラッチ回路６１ａに保持されている信号を演出制御装置２１や排出制御装置４２へ伝達可能な信号レベルに変換する通信ドライブ回路６２と、ラッチ回路６１ｂに保持されている信号を普電ソレノイド２５や大入賞口ソレノイド２６の駆動電圧レベルに変換するソレノイドドライブ回路６３と、ラッチ回路６１ｂに保持されている信号を情報出力端子盤（盤用外部情報）４１に搭載されているリレー等の接点を駆動できる電圧に変換する接点ドライブ回路６４とにより構成される回路ブロックである。
【００３８】
電源回路部は、各種直流電源を供給する電源装置に相当するものであり、遊技機１の外部から給電される２４ボルトの交流電源を全波整流する整流回路６８と、整流された電源をコンデンサ等を用いて３３ボルトに平滑する平滑回路６９と、平滑された電源を１２ボルトへ変換する定電圧回路４５と、１２ボルトの電源をロジックレベルの５ボルトに変換するロジック電源回路４６により構成される回路ブロックである。なお、３３ボルトに平滑された電源はソレノイドの駆動用として用いられ、１２ボルトへ変換された電源は各種センサの電圧変換のために用いられ、５ボルトの電源はラッチ回路６１ａ、６１ｂやバッファ回路６５ａ、６５ｂの電源として用いられる。
【００３９】
また、ロジック電源回路４６で生成された５ボルトの電源を主基板５０側の各素子（ＣＰＵ５２、ＲＡＭ５３、ＲＯＭ５４等）の駆動電源として、副基板６０の第２コネクタ１１０から主基板５０の第１コネクタ１００を介して主基板５０側へ供給している。さらに、第１コネクタ１００と第２コネクタ１１０との接続により、主基板５０からのセレクト信号、データ信号、ライト信号及びリード信号が、ラッチ回路６１ａ、６１ｂとバッファ回路６５ａ、６５ｂに伝達される。また、第１コネクタ１００と第２コネクタ１１０とのの接続を介して、主基板５０側のグランド面(ＧＮＤ) と副基板６０側のグランド面(ＧＮＤ) とが導通するように構成されている。
【００４０】
ＣＰＵ５２は、副基板６０の入力インターフェイス部を介して特図始動センサ２４、普図始動センサ３６、継続センサ３７、カウントセンサ３８、及び、入賞口センサ３９…と電気的に接続されている。そして、これらの各種センサからの検出信号に基づいて、大当たり抽選等、種々の処理を行う。また、ＣＰＵ５２は、出力インターフェース部を介して、普電ソレノイド２５、大入賞口ソレノイド２６、情報出力端子盤４１に電気的に接続されている。また、演出制御装置２１、排出制御装置４２等の各種制御装置にも電気的に接続されている。そして、ＣＰＵ５２は、これらの各種制御装置等に制御情報を送信することで、遊技を統括的に制御する。
【００４１】
上記の特図始動センサ２４は、上記したように始動入賞口１５に入賞した遊技球を検出するためのセンサであり、普図始動センサ３６は、遊技球の普図ゲート１７の通過を検出するためのセンサである。継続センサ３７は、大入賞口１４に入賞した遊技球の内、所謂Ｖゾーン（継続入賞口）を通った遊技球を検出するセンサであり、カウントセンサ３８は、大入賞口１４に入賞した遊技球を１個宛検出するセンサである。入賞口センサ３９は、一般入賞口１６に入賞した遊技球を検出するためのセンサであり、本実施形態では１つの一般入賞口１６に１つの入賞口センサ３９を対応させて設けている。
【００４２】
普電ソレノイド２５は、上記したように、羽根部材を開閉するための駆動源である。大入賞口ソレノイド２６は、大入賞口１４を開閉するための駆動源である。情報出力端子盤４１は、遊技機外部と電気的に接続するためのリレー等の接点、及び端子（コネクタ）を備えた部材であり、外部に出力する盤用外部情報が出力される。
【００４３】
排出制御装置４２は、遊技制御装置３１からの賞球指令信号やカード球貸ユニットからの貸球要求信号に基づいて、球排出装置（図示せず）を制御し、必要な数の遊技球（賞球や貸球）を排出させる。なお、球排出装置から排出された遊技球は、上記の上皿５や下皿８に供給される。
【００４４】
演出制御装置２１は、遊技制御装置３１からの指令信号に基づいて変動表示装置１３にて複数の識別図柄を変動表示させる変動表示ゲームを実行すると共に、大当たりの場合に変動表示ゲームの表示結果として大当たり結果態様を表示させる処理を行う。また、演出制御装置２１は、遊技制御装置３１からの指令信号によって、表示装置１３の表示内容や、装飾用ランプや装飾用ＬＥＤ等の装飾発光装置１１の動作を制御すると共に、スピーカ４４からの効果音や音声メッセージ等の出力をも制御する。
【００４５】
なお、主基板５０において、ＣＰＵ５２、ＲＡＭ５３、ＲＯＭ５４を全て一体化したワンチップのマイクロコンピュータにより構成してもよく、当該ワンチップのマイクロコンピュータがプリント基板にソケットを用いて取り付けられていてもよい。このようにワンチップのマイクロコンピュータをソケット装着する場合には、主基板のリサイクル流用が可能である。
【００４６】
また、主基板５０において、ＣＰＵ５２、ＲＡＭ５３を一体化したワンチップのマイクロコンピュータにより構成し、ＲＯＭ５４のみをマイクロコンピュータから分離した構成にしてもよい。そして、当該ＲＯＭ５４はプリント基板にソケットを用いて取り付けられていてもよい。このようにＲＯＭ５４をソケット装着すると、主基板のリサイクル流用が可能である。
【００４７】
さらに、デコード回路５８を副基板６０に設けてもよい。この場合、アドレス信号が第１コネクタ１００及び第２コネクタ１１０を介して主基板５０から副基板６０へ伝達される構成とする。このように構成するとセレクト信号の本数の自由度が高まり、選択される回路の個数制限がなくなる。
【００４８】
そして、ラッチ回路６１ａ、６１ｂを主基板５０に設け、ラッチ回路６１ａ、６１ｂに保持されている信号を、第１コネクタ１００及び第２コネクタ１１０を介して副基板側のドライブ回路へ伝達する構成でもよい。このように構成するとＲＯＭ５４、ＲＡＭ５３、ＣＰＵ５２のみならず、ラッチ回路６１ａ、６１ｂも全機種において共通利用できる。
【００４９】
また、バッファ回路６５ａ、６５ｂを主基板５０に設け、副基板側の電圧変換回路６６ａ、６６ｂから伝達される入力信号を、第１コネクタ１００及び第２コネクタ１１０を介して主基板のバッファ回路６５ａ、６５ｂに取り込んでもよい。このように構成するとＲＯＭ５４、ＲＡＭ５３、ＣＰＵ５２のみならず、バッファ回路６５ａ、６５ｂも全機種において共通利用できる。
【００５０】
以上のような構成を有する遊技制御装置３１は、遊技機１の裏面を覆う裏機構盤に取り付けられており、裏機構盤にはその他各種の制御を行う制御装置が機能別に分けて、例えば、演出制御装置２１、排出制御装置４２、発射制御装置等に分けて設けられ、中継基板や接続ケーブルを介して電気的に接続されている。また、裏機構盤には制御装置以外の機器として球貯留タンクや球排出ユニット等が適宜配置されている。
【００５１】
次に、遊技制御装置３１の第１実施形態の構造について説明する。図３は、第１の実施形態の遊技制御装置を示す平面図及び側面図である。また図４は、第１の実施形態における副基板ユニットを示す平面図及び側面図である。さらに図５は、第１の実施形態における主基板ユニットの表面側及び裏面側を示す図である。なお、これらの図において、上面または表面とは、遊技機１の裏面側から直視した状態での上面または表面を意味する。
【００５２】
遊技制御装置３１は、上述したように、遊技の統括的な制御を行う装置であり、共通利用可能な部分であるＣＰＵ５２等を搭載した主基板５０と、機種依存する部分である副基板６０とによって構成され、主基板５０を内部が透視可能に形成された樹脂製の第１ケース７１に収納すると共に、副基板６０を導電性の部材からなる第２ケース９１に収納している。ここで、主基板ユニット７０は、主基板５０を第１ケース７１内に収納したものであり、また副基板ユニット９０は副基板６０を第２ケース９１に収納したものである。
【００５３】
図３に示すように、第１の実施形態では、主基板ユニット７０は、副基板ユニット９０の周縁部の一部、本実施形態では左下の隅角部に配置してある。副基板ユニット９０を構成する第２ケース９１は、アルミニウム等の導電性を有する部材（素材）を用いて、副基板６０を収納可能に中空箱形状に形成してあり、この中空箱形状の周縁部の一部、本実施形態では左下の角部に第１ケース７１が収まるように上面及び二側面が開放した導電性の壁部９２、９３から成る凹室９４を形成し、該凹室９４内に第１ケース７１を配置している。
【００５４】
なお、図３（ａ）に示すように、開放されている二側面にＬ字形状の導電性の壁部９８を立設して、第１ケース７１が凹室９４内に配置された状態で導電性の壁部９２、９３、９８で周囲が覆われるように構成してもよい。そして、Ｌ字形状の導電性の壁部９８には、第１ケース７１の封止部７２を凹室９４内から外方へ突き出させるためのスリット９９を形成してもよい。この様に、封止部７２を凹室９４内から外方へ突き出させる構成を採ると、凹室９４をその分コンパクトにでき、ひいては第２ケース９１の小型化に寄与できる。
【００５５】
また、図３（ａ）に示すように、第２ケース９１の長辺の一側部（上側部）には、内部に収納した副基板６０の一部が延出され、この延出部分には該副基板６０を遊技盤や演出制御装置２１、排出制御装置４２等と接続するための複数のコネクタ１０１…が配置してある。この第２ケース９１は、その周囲の複数箇所に耳片状に突設した止着片の止着具１０２によって遊技機１の裏機構盤の所定位置に固定するように構成されている。
そして、図４に示すように、第２ケース９１の左下角部に区画した凹室９４の底面（床面）は、アルミニウム等の導電性を有する部材によって覆われており、この凹室９４の底面の一部に形成した開口部１０３から副基板６０の第２コネクタ１１０が突き出している。
【００５６】
一方、第１ケース７１は、図５に示すように、内部が透視可能な樹脂製の上蓋部材７３と下蓋部材７４とから成り、第２ケース９１の左下隅角部に区画した凹室９４内に丁度収納し得る大きさの中空箱形状に形成してあり、内部に主基板５０を収納した後、封止部７２を結合することにより、不正行為を防止するように成っている。この第１ケース７１の裏面側には開口部７８が形成され、この開口部７８から主基板５０の第１コネクタ１００が突き出している。
【００５７】
そして、主基板５０と副基板６０とは、第１ケース７１の開口部７８から臨む主基板５０に設けられた第１コネクタ１００と、第２ケース９１の開口部１０３から臨む副基板６０に設けられた第２コネクタ１１０とを接続して制御線が連結するように構成してあり、これらコネクタ１００、１１０には、電源供給端子やＧＮＤ（接地）端子も組み込まれている。即ち、遊技制御装置３１には、図２に示したように、ＡＣ２４Ｖを整流回路６８等を介して各種直流電源を供給する電源装置が備えられ、この電源装置から供給される各種直流電源は副基板６０に供給して、コネクタ１００、１１０を通じて該副基板６０から主基板５０にロジック電源を供給するように構成してある。したがって、共通利用可能な部分である主基板５０と、機種に依存する部分である副基板６０とを分離可能に構成して、コネクタ１００、１１０によって接続するように構成しても、確実に安定した電源供給を行うことができる。
なお、遊技制御装置３１をは別個に電源装置を設け、この電源装置から副基板６０に電源を供給してロジック電源を生成し、このロジック電源を主基板５０に供給するように構成しても良い。
【００５８】
このように副基板ユニット９０の凹室９４内に主基板ユニット７０を配置し、第２ケース９１から上面へ突出した副基板６０の第２コネクタ１１０に、第１ケース７１から下面へ突出した主基板５０の第１コネクタ１００を接続するので、第１ケース７１の上面側には、該主基板ユニット７０を指で把持するための半円状の凹部８１をコネクタ１００の両側付近に形成し、この凹部８１を指で摘んで主基板ユニット７０が容易に着脱できるように構成してある。また、コネクタ１００、１１０の接続を維持するために、第１ケース７１の一側部には係止爪８２を突設し、第２ケース９１の凹室９４に第１ケース７１を収納した際に上記係止爪８２に対向する導電性部材の壁部９２の所定位置に、上記係止爪８２に係合する係止溝（図示せず）を形成してある。
【００５９】
次に、図６及び図７を用いて、第１の実施形態における副基板ユニット９０の構造を更に詳しく説明する。図６は第１の実施形態における副基板ユニットの組立状態を示す斜視図であり、図７は第１の実施形態における副基板ユニットの分解状態を示す斜視図である。なお、これらの図においては、上述した凹室９４の二側面に設けたＬ字形状の壁部９８は省略してある。
【００６０】
これらの図に示すように、副基板ユニット９０は、上蓋部材１１１及び下蓋部材１１２から成る導電性の部材により形成した第２ケース９１と、下蓋部材１１２上に載置した状態で第２ケース９１内に収納する副基板６０とから構成される。下蓋部材１１２は略長方形状の平板部材であり、略四隅にネジ穴１１３が形成され、上面にはクッション部材１１５が装着されている。このクッション部材１１５は、副基板ユニット９０に主基板ユニット７０を取り付ける際に、副基板６０にかかる押圧力を緩衝する役割を果たすものであり、これにより副基板６０が撓むのを防止することができる。この下蓋部材１１２上に載置される副基板６０の略四隅にも、上記ネジ穴１１３の形成位置に合せてネジ穴１１６が形成してある。そして、この副基板６０の上部を覆う上蓋部材１１１は、上述したように、下蓋部材１１２と共に中空箱形状に形成してあり、この中空箱形状の周縁部の一部、本実施形態では左下の隅角部に第１ケース７１が収まるように凹室９４を形成している。この凹室９４の底面には、副基板６０の第２コネクタ１１０を突き出させるための開口部１０３が形成してある。また、上蓋部材１１１の周囲には、第２ケース９１を遊技機１の裏機構盤に固定するための止着具１０２が設けられている。さらに、この上蓋部材１１１の下面には、上記ネジ穴１１３、１１６の位置に合せてネジ受け穴１１８が形成してあり、下蓋部材１１２、副基板６０及び上蓋部材１１１を順に配して、上記ネジ穴１１３、１１６及びネジ受け穴１１８を合わせて、下蓋部材１１２、副基板６０及び上蓋部材１１１が位置決めされた状態で下蓋部材１１２の下面から上記ネジ穴１１３、１１６及びネジ受け穴１１８にネジ１１９を挿入して螺合し、これにより下蓋部材１１２、副基板６０及び上蓋部材１１１が一体化されて副基板ユニット９０が完成する。この組み立て状態で、上蓋部材１１１の長辺一側部から副基板６０の一部が延出しており、その延出部分には該副基板６０を遊技盤や演出制御装置２１、排出制御装置４２等と接続するための複数のコネクタ１０１…が配置されている。
そして、副基板６０にはＧＮＤの配線パターン（図示せず）がネジ穴１１６の開口近傍表裏両面にまで延長して形成されているので、上記したようにして副基板６０を間に挟んだ状態で組み立てると、上蓋部材１１１のネジ受け穴１１８の近傍部分が副基板６０のＧＮＤに導通するとともに、下蓋部材１１２のネジ穴１１３の近傍部分が副基板６０のＧＮＤに導通することとなり、これにより副基板６０のＧＮＤが上蓋部材１１１及び下蓋部材１１２に導通して副基板６０が上蓋部材１１１と下蓋部材１１２とによってシールドされる。
【００６１】
次に、図８を用いて、第１の実施形態における主基板ユニット７０の構造を更に詳しく説明する。図８は、第１の実施形態における主基板ユニットの組立状態及び分解状態を示す斜視図である。
【００６２】
図８に示すように、主基板ユニット７０は、上蓋部材７３及び下蓋部材７４から成る内部が透視可能な樹脂製の部材により形成した第１ケース７１と、下蓋部材７４上に載置した状態で第１ケース７１内に収納する主基板５０とから構成される。下蓋部材７４は上部が開放した浅い箱形状の部材であり、四隅にネジ受けボス８３が形成され、その底面には主基板５０の第１コネクタ１００を下方へ突き出させる開口部７８が形成されている。また、下蓋部材７４の長辺一側部には、上記封止部７２を構成する封止受け部８４が設けてある。この下蓋部材７４のネジ受けボス８３上に載置される主基板５０の略四隅にも、上記ネジ受けボス８３のネジ穴形成位置に合せてネジ穴８５が形成され、この主基板５０上には、ＣＰＵ５２、ＲＡＭ５３、ＲＯＭ５４等が搭載されている。そして、この主基板５０の上部を覆う上蓋部材７３は下部が開放した略箱形状の部材であり、上述したように、下蓋部材７４と共に中空箱形状となるように形成してある。また、上蓋部材７３の上面側には、主基板ユニット７０を指で把持するための半円状の凹部８１を形成しており、上蓋部材７３の短辺側部には係止爪８２を突設している。また、この上蓋部材７３の長辺側部には、下蓋部材７４の封止受け部８４に結合する封止部７２を構成する封止頭部８８が設けてある。さらに、上蓋部材７３の上面の四隅には、上記ネジ受けボス８３のネジ穴形成位置、及び上記ネジ穴８５の形成位置に合せてネジ穴８６が形成してあり、下蓋部材７４、主基板５０及び上蓋部材７３を順に配して、上記ネジ穴８６、８５及びネジ受けボス８３のネジ穴を合わせ、下蓋部材７４、主基板５０及び上蓋部材７３が位置決めされた状態で上蓋部材７３の上面から上記ネジ穴８６、８５及びネジ受けボス８３のネジ穴にネジ８７を挿入して螺合し、封止受け部８４に封止頭部８８を封着して封止部７２を結合すると、これら下蓋部材７４、主基板５０及び上蓋部材７３が一体化されて、図８（ａ）に示すような主基板ユニット７０が完成する。なお、封止部７２は、その基部を切断しなければ第１ケース７１を開放することはできないので、主基板５０への不正行為を防止することができる。
【００６３】
そして、図９に示すように、主基板ユニット７０の凹部８１を指で把持して、副基板ユニット９０の凹室９４内に主基板ユニット７０を配置し、第２ケース９１の第２コネクタ１１０に、第１ケース７１の第１コネクタ１００を接続することにより、主基板ユニット７０及び副基板ユニット９０を合体させる。その際、第１ケース７１の一側部に突設した係止爪８２を、第２ケース９１の導電性部材の壁部９２の係止溝に係合させる。
【００６４】
この様に、本実施形態では、主基板５０が収納される第１ケース７１の背面に、副基板６０が収納された第２ケース９１を配置することに成り、主基板５０のＧＮＤはコネクタ１００、１１０を介して副基板６０のＧＮＤと導通する。
【００６５】
なお、副基板６０のＧＮＤは、例えば、図１０に示すような構造により、第２ケース９１に導通させてもよい。図１０において、遊技機１の裏機構盤にアルミニウム等の導電性板部材１２０を止着具１０２により固定する。そして、この導電性板部材１２０にネジ穴１２１を穿設して、上記ネジ穴１１３、１１６及びネジ受け穴１１８にネジ１１９を挿入して螺合することにより、上蓋部材１１１及び下蓋部材１１２を副基板６０のＧＮＤに接触させ、ネジ１１９を介して導電性板部材１２０に導通させる。その際、図１０に示すような銅等の良好な導電性を有する筒状の基板止着部材１２２を装着すれば、副基板６０と第２ケース９１との導通性能はより向上する。
また、主基板５０のＧＮＤを副基板６０のＧＮＤに導通させる構成としては、コネクタ接続に限らず上述した基板止着部材１２２を装着したり、あるいはネジを用いてもよい。
【００６６】
以上のように、第１の実施形態の遊技制御装置３１によれば、共通利用可能な部分であるＣＰＵ５２及びＲＯＭ５４等を備えた主基板５０と、機種に依存する部分である各種センサの入力回路及び各種電動式役物装置の出力回路を備えた副基板６０とに区分され、内部が透視可能に形成された樹脂製の第１ケース７１に主基板５０が収納されると共に、導電性の部材からなる第２ケース９１に副基板６０が収納されており、これら主基板５０と副基板６０とは、第１ケース７１の第１コネクタ１００と、第２ケース９１の第２コネクタ１１０とを接続して制御線が連結するように構成しており、共通利用可能な部分と機種に依存する部分とが分離可能であり、このような分離可能な構成においても、第１ケース７１の背面に第２ケース９１を配置すると共に、副基板６０のＧＮＤを第２ケース９１に導通するように構成しているので、ノイズ等の外的要因の影響を受け難く、誤作動を防止することができる。そして、主基板５０のＧＮＤをコネクタを介して、或いは他の導通部材を介して副基板６０のＧＮＤに導通すると、一層ノイズ等の影響を受け難くなり、誤作動防止の効果を更に向上せることができる。
また、ＣＰＵ５２及びＲＯＭ５４が配置される共通部分である主基板５０は樹脂製の第１ケースに収納されているので、詳細に視認可能であり、主基板５０への不正行為を防止することができる。
【００６７】
さらに、副基板６０を収納する中空箱形状に形成した第２ケース９１の周縁部（左下角部）に第１ケース７１が収まるように凹室９４を形成し、この凹室９４内に主基板５０を収納する樹脂製の第１ケース７１を配置しているので、共通部分である主基板５０を詳細に視認可能であり、主基板ユニット７０の分離作業や第１ケース７１の封止作業を行い易い。また、遊技制御装置３１を遊技機１の裏面の裏機構盤に取り付けた状態であっても、前面枠２を開けば、そのままの状態で第１ケース７１内の主基板５０を詳細に視認可能である。
【００６８】
そして、凹室９４は、上面及び二側面が開放した導電性の壁部９２、９３から成っており、二側面が開放部をＬ字形状の導電性の壁部９５で区画しているので、第１ケース７１に収納されている主基板５０もノイズ等の外的要因の影響を受け難く、誤作動が防止することができる。
【００６９】
次に、第２の実施形態の遊技制御装置１３１の構造について説明する。図１１は、第２の実施形態の遊技制御装置の合体状態及び分離状態を示す平面図である。なお、図１１において、上面とは、遊技機１の裏面側から直視した状態で見える面を意味し、第１の実施形態と同一符号は基本的に同一の部材や部位を示している。
【００７０】
図１１に示すように、第２の実施形態では、主基板ユニット７０は、副基板ユニット９０の中央部に配置してある。副基板ユニット９０を構成する第２ケース９１は、上記と同様に、アルミニウム等の導電性を有する部材を用いて、副基板６０を収納可能に中空箱形状に形成してあり、本実施形態では、この中空箱形状の中央部に第１ケース７１が収まるように上面が開放した導電性の四辺の壁部１３２、１３３、１３４、１３５から成る凹室９４を形成し、該凹室９４内に第１ケース７１を配置している。即ち、第１ケース７１は、凹室９４内に配置した状態で、導電性の壁部１３２、１３３、１３４、１３５で周囲が覆われており、長辺の壁部１３３、１３５には、第１ケース７１の長辺の両側に延出された封止部７２を収容する封止部収容室１３８が形成してある。
【００７１】
第２ケース９１の中央部に区画した凹室９４の底面は、上記アルミニウム等の導電性を有する部材によって形成されており、この底面の一部に形成した開口部１０３から副基板６０の第２コネクタ１１０が突き出している。そして、この第２ケース９１の上面には、上記凹室９４の両側に位置するように、複数列の長穴状の開口部１３９が形成してあり、機種に依存する部分である副基板６０上に搭載された各種センサの入力回路及び各種電動式役物装置の出力回路を構成する電子部品が上記開口部１３９を透して視認可能と成っている。
【００７２】
一方、第１ケース７１は、内部が透視可能な樹脂を用いて、第２ケース９１の凹室９４内に適合する大きさの中空箱形状に形成してあり、上蓋部材７３と下蓋部材７４とから成り、内部に主基板５０を収納した後、長辺の両側に延出された封止部７２を結合することにより、不正行為を防止するように成っている。この第１ケース７１の裏面側には開口部７８が形成され、この開口部７８から主基板５０の第１コネクタ１００が突き出している。
【００７３】
そして、主基板５０と副基板６０とは、第１ケース７１の開口部７８から臨む主基板５０に設けられた第１コネクタ１００と、第２ケース９１の開口部１０３から臨む副基板６０に設けられた第２コネクタ１１０とを接続して制御線が連結するように構成してあり、これらコネクタ１００、１１０には、該コネクタ１００、１１０を通じて副基板６０から主基板５０にロジック電源を供給すべく、電源供給端子やＧＮＤ（接地）端子も組み込まれている。
【００７４】
以上のように、第２の実施形態の遊技制御装置１３１によれば、副基板６０を収納する中空箱形状に形成した第２ケース９１の中央部に第１ケース７１が収まるように凹室９４を形成し、この凹室９４内に主基板５０を収納する樹脂製の第１ケース７１を配置したことにより、ＣＰＵ５２及びＲＯＭ５４が配置される共通部分を詳細に視認可能である。また、この凹室９４は、上面が開放した導電性の壁部１３２、１３３、１３４、１３５から成っており、周囲が導電性部材で覆われているので、第１ケース７１に収納されている主基板５０もノイズ等の外的要因の影響を受け難く、誤作動が防止することができる。さらに、導電性の部材からなる第２ケース９１の上面には複数列の長穴状の開口部１３９が形成してあり、これらの開口部１３９を介して第２ケース９１の内部が視認可能であるので、内部が透視可能な樹脂製の第１ケース７１に収納された主基板５０のみならず、副基板６０上の機種に依存する制御部品をも監視することができる。
【００７５】
次に、第３の実施形態の遊技制御装置１４１の構造について説明する。図１２は、第３の実施形態の遊技制御装置を示しており、（ａ）は副基板ユニットの金属上蓋部材のみを取り付けた状態の平面図、（ｂ）は副基板ユニットの金属上蓋部材及び樹脂上蓋部材を取り付けた状態の平面図、主基板ユニットと副基板ユニットの合体状態を示す平面図である。なお、図１２において、上面とは、遊技機１の裏面側から直視した状態での面を意味し、第１の実施形態及び第２の実施形態と同一符号は基本的に同一の部材や部位を示している。
【００７６】
図１２に示すように、第３の実施形態では、主基板ユニット７０は、副基板ユニット９０の中央部に配置してある。副基板ユニット９０を構成する第２ケース９１は、電子部品を実装した内部のほぼ全体を視認可能な長方形状の開口窓１４２が形成された導電性の部材から成る中空箱形状の内箱１４３と、この内箱１４３が収納される透明な樹脂製の外箱１４４とから構成されている。上記内箱１４３は、アルミニウム等の導電性を有する部材を用いて、副基板６０を収納可能に中空箱形状に形成してあり、この中空箱形状の中央部に第１ケース７１を収納するために、上面が開放した導電性の四辺の壁部１３２、１３３、１３４、１３５から成る凹室９４を形成しており、長辺の壁部１３３、１３５には、封止部７２を収容する封止部収容室１３８が形成してある。
【００７７】
図１２（ａ）に示すように、内箱１４３の中央部に区画した凹室９４の底面は、上記アルミニウム等の導電性を有する部材によって形成されており、この底面の一部に形成した開口部１０３から副基板６０の第２コネクタ１１０が突き出している。そして、この内箱１４３の上面には、上記凹室９４の両側に位置するように、長方形状の大きな開口窓１４２が形成してあり、機種に依存する部分である副基板６０上に搭載された各種センサの入力回路及び各種電動式役物装置の出力回路を構成する電子部品が開口窓１４２から視認可能と成っている。
【００７８】
また、図１２（ｂ）に示すように、内箱１４３は、この内箱１４３よりも若干大きく、この内箱１４３の外観形状に沿って形成された樹脂製の外箱１４４によって覆われている。したがって、外箱１４４は、中空箱形状に形成され、その中央部に第１ケース７１を収納する上面が開放した樹脂製の四辺の壁部１４５、１４６、１４７、１４８から成る開口部１５０を形成しており、長辺の壁部１４６、１４８には、第１ケース７１の封止部７２をも収納すべく、上記封止部収容室１３８に対応した収容室１４９が形成してある。即ち、第３の実施形態では、副基板ユニット９０を構成する第２ケース９１が、導電性の部材から成る内箱１４３と、透明な樹脂製の外箱１４４との二重構造に形成されており、第２ケース９１の内部は透明な樹脂製の外箱１４４及び内箱１４３の上面に形成された開口窓１４２を介して視認可能と成っている。また、第２ケース９１を構成する外箱１４４の中央部に形成した開口部１５０の長辺部分内側、即ち、開口部１５０の上面両側部には、内側へ臨ませて係合爪１５３が形成してある。
【００７９】
一方、第１ケース７１は、第２の実施形態と同様に、内部が透視可能な樹脂を用いて、第２ケース９１の凹室９４内に適合する大きさの中空箱形状に形成してあり、上蓋部材７３と下蓋部材７４とから成り、内部に主基板５０を収納した後、長辺の両側に延出された封止部７２を結合することにより、不正行為を防止するように成っている。この第１ケース７１の裏面側には開口部７８が形成され、この開口部７８から主基板５０の第１コネクタ１００が突き出している。また、第１ケース７１の長辺部分の上記係合爪１５３に対向する部位には、該係合爪１５３を係合させる係合溝１５５が形成してある。
【００８０】
そして、主基板５０と副基板６０とは、第１ケース７１の開口部７８から臨む主基板５０に設けられた第１コネクタ１００と、第２ケース９１を構成する内箱１４３の開口部１０３から臨む副基板６０に設けられた第２コネクタ１１０とを接続して制御線が連結するように構成してあり、これらコネクタ１００、１１０には、該コネクタ１００、１１０を通じて副基板６０から主基板５０にロジック電源を供給すべく、電源供給端子やＧＮＤ（接地）端子も組み込まれている。これらコネクタ１００、１１０を接続する際、第１ケース７１に形成された係合溝に、外箱１４４の開口部１５０の両側上面に形成した係合爪１５３を係合させて、第１ケース７１と第２ケース９１とを一体化させる。なお、第１ケース７１は、凹室９４内に配置した状態で、樹脂製の外箱１４４を介して内箱１４３の導電性の壁部１３２、１３３、１３４、１３５で周囲が覆われており、第１ケース７１の長辺の両側に延出された封止部７２は開口耳部１５０及び封止部収容室１３８内に配されている。また、内箱１４３に大きな開口窓１４２が形成して、機種に依存する部分である副基板６０上に搭載された各種センサの入力回路及び各種電動式役物装置の出力回路を構成する電子部品が良く見えるので、不正改造を発見し易く、且つ開口窓１４２を透明な外箱１４４で覆ったので不正行為自体を防止し易い。
【００８１】
次に、第４の実施形態の遊技制御装置１６１の構造について説明する。図１３は、第４の実施形態の遊技制御装置を示す側面図である。また図１４は、第４の実施形態の遊技制御装置を示しており、（ａ）は副基板ユニットの金属上蓋部材のみを取り付けた状態の平面図、（ｂ）は副基板ユニットの金属上蓋部材及び樹脂上蓋部材を取り付けた状態の平面図、主基板ユニットと副基板ユニットの合体状態を示す平面図である。なお、図１４において、上面とは、遊技機１の裏面側から直視した状態で見える面を意味し、第１の実施形態乃至第３の実施形態と同一符号は基本的に同一の部材や部位を示している。
【００８２】
これらの図に示すように、第４の実施形態では、主基板ユニット７０は、副基板ユニット９０の中央部に配置してあるが、副基板ユニット９０を構成する第２ケース９１の中央部に凹室を形成していない点が、第３の実施形態と異なる。即ち、副基板ユニット９０を構成する第２ケース９１は、内部を視認可能な長方形状の開口窓１４２が形成された導電性の部材から成る中空箱形状の内箱１４３と、この内箱１４３が収納される透明な樹脂製の外箱１４４とから構成されている。
【００８３】
図１４（ａ）に示すように、上記内箱１４３は、アルミニウム等の導電性を有する部材を用いて、副基板６０を収納可能に中空箱形状に形成してあり、この中空箱形状の中央部上面の一部に開口部１０３が形成されており、この開口部１０３から副基板６０の第２コネクタ１１０が突き出している。さらに、この内箱１４３の上面両側には、長方形状の大きな開口窓１４２が形成してあり、機種に依存する部分である副基板６０上に搭載された各種センサの入力回路及び各種電動式役物装置の出力回路を構成する電子部品の全部が視認可能と成っている。
【００８４】
また、図１４（ｂ）に示すように、内箱１４３の上方は、この内箱１４３よりも若干大きく、この内箱１４３の外観形状に沿って形成された樹脂製の外箱１４４によって覆われている。したがって、外箱１４４は、中空箱形状に形成され、その中央部上面の一部に上記開口部１０３と一致する開口部１６２が形成されており、これら開口部１０３、１６２から副基板６０の第２コネクタ１１０が突き出している。即ち、図１３に示すように、第４の実施形態では、第３の実施形態と同様に、副基板ユニット９０を構成する第２ケース９１が導電性の部材から成る内箱１４３と、透明な樹脂製の外箱１４４との二重構造に形成されており、第２ケース９１の内部が透明な樹脂製の外箱１４４及び内箱１４３の上面に形成された開口窓１４２を介して視認可能と成っている。また、第２ケース９１を構成する外箱１４４の上面中央部の上記コネクタ１１０の両側には、上方に延びるように突設されると共に、その先端部に係合爪１６５が形成された可撓性を有する第１腕部１６６及び第２腕部１６７を形成してある。
【００８５】
一方、第１ケース７１は、第２及び第３の実施形態と同様に、内部が透視可能な樹脂を用いて、略中空箱形状に形成してあり、上蓋部材７３と下蓋部材７４とから成り、内部に主基板５０を収納した後、長辺の両側に延出された封止部７２を結合することにより、不正行為を防止するように成っている。この第１ケース７１の裏面側には開口部７８が形成され、この開口部７８から下面へ向けて主基板５０の第１コネクタ１００が突き出している。
【００８６】
そして、主基板５０と副基板６０とは、第１ケース７１の開口部７８から臨む主基板５０に設けられた第１コネクタ１００と、第２ケース９１を構成する内箱１４３の開口部１０３及び外箱１４４の開口部１６２から臨む副基板６０に設けられた第２コネクタ１１０と、を接続して制御線が連結するように構成してあり、これらコネクタ１００、１１０には、該コネクタ１００、１１０を通じて副基板６０から主基板５０にロジック電源を供給すべく、電源供給端子やＧＮＤ（接地）端子も組み込まれている。そして、これらコネクタ１００、１１０を接続する際、上記外箱１４４の第１腕部１６６及第２腕部１６７によって第１ケース７１を第２ケース９１に重ねた状態で挟持すると共に、第１ケース７１に第１腕部１６６及第２腕部１６７の係合爪１６５を係合させて保持し、第１ケース７１と第２ケース９１とを一体化させる。図１３に示すように、主基板ユニット７０は、コネクタ１００、１１０を接続した状態で、副基板ユニット９０の上部に搭載された状態で突き出しており、いわゆる二階建て構造を呈している。
【００８７】
以上のように、第４の実施形態の遊技制御装置１４１によれば、基本的には第３の実施形態と同様の作用効果を奏するが、特に第４の実施形態では、樹脂製の第１ケース７１が導電性の部材から成る第２ケース９１の内箱１４３によって囲まれていないけれども、主基板５０を収納する第１ケース７１の背面が導電性の部材から成る第２ケース９１の内箱１４３によって遮断されているので、ノイズ等の外部要因による誤作動を防止しうるものである。また、第２ケース９１に凹室を形成しないので、製造が容易である。
【００８８】
以上説明したように、本発明の遊技機１によれば、上記の実施形態の遊技制御装置３１，１３１，１４１，１６１において、共通利用可能な部分である主基板５０と、機種依存する部分である副基板６０とを分離可能とし、この分離可能な構成を採っても、主基板５０のＧＮＤ面積が副基板６０を介して増加する上に、主基板５０の背面に導電性の部材から成る第２ケース９１が配設されるので、背面側（遊技盤側）からのノイズの影響を抑止でき、分離したことにより生じるノイズ等の外的要因による誤動作の影響を抑止できるようになった。このことから、例えば、異なる機種、機類（１種、２種、３種等）によって、遊技盤等に使用する電気部品（例えば、ソレノイドやモータ等）の数や種類が異なったものとしても、遊技制御装置３１のうちの主基板５０は共通に使用でき、副基板６０の部分だけ異なる構成とすることで、主基板５０のリサイクルが容易にでき、コストダウン、資源の有効利用を行いつつ、不正の抑制を効果的に行え、またノイズに強い遊技制御装置を提供することができる。
【００８９】
また、第１乃至第３の実施形態では、主基板５０を収納する第１ケース７１を副基板６０の第２ケース９１に形成した凹室９４に収納して取り付けることで、第１ケース７１の下面及び側面が囲われ、遊技機側やその他の側からのノイズからの影響を抑止することができ、このような構成においても、内部が透視可能な樹脂製の第１ケース７１の上面は視認可能であるので、不正行為を確実に監視しうるものである。
【００９０】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【産業上の利用可能性】
【００９１】
本発明は、例示したパチンコ機のみならず、パチスロ機、雀球機、アレンジボール機等のように、遊技領域における遊技を統括的に制御する遊技制御装置を備えた遊技機に広く適用しうるものである。
【図面の簡単な説明】
【００９２】
【図１】パチンコ遊技機の前面構成を示す正面図である。
【図２】遊技制御装置を中心とする制御系を示すブロック図である。
【図３】第１の実施形態の遊技制御装置を示す平面図及び側面図である。
【図４】第１の実施形態における副基板ユニットを示す平面図及び側面図である。
【図５】第１の実施形態における主基板ユニットの表面側及び裏面側を示す図である。
【図６】第１の実施形態における副基板ユニットの組立状態を示す斜視図である。
【図７】第１の実施形態における副基板ユニットの分解状態を示す斜視図である。
【図８】第１の実施形態における主基板ユニットの組立状態及び分解状態を示す斜視図である。
【図９】第１の実施形態における主基板ユニットと副基板ユニットの分離状態及び合体状態を示す斜視図である。
【図１０】第１の実施形態における副基板と第２ケースとの導通構造を示す模式図である。
【図１１】第２の実施形態の遊技制御装置の合体状態及び分離状態を示す平面図である。
【図１２】第３の実施形態の遊技制御装置を示しており、（ａ）は副基板ユニットの金属上蓋部材のみを取り付けた状態の平面図、（ｂ）は副基板ユニットの金属上蓋部材及び樹脂上蓋部材を取り付けた状態の平面図、主基板ユニットと副基板ユニットの合体状態を示す平面図である。
【図１３】第４の実施形態の遊技制御装置を示す側面図である。
【図１４】第４の実施形態の遊技制御装置を示しており、（ａ）は副基板ユニットの金属上蓋部材のみを取り付けた状態の平面図、（ｂ）は副基板ユニットの金属上蓋部材及び樹脂上蓋部材を取り付けた状態の平面図、主基板ユニットと副基板ユニットの合体状態を示す平面図である。
【符号の説明】
【００９３】
１  遊技機
２  前面枠
３  遊技盤
７  遊技領域
３１  遊技制御装置
４５  定電圧回路
４６  ロジック電源回路
５０  主基板
５１  発振器
５２  ＣＰＵ
５３  ＲＡＭ
５４  ＲＯＭ
５８  デコード回路
６０  副基板
６１ａ，６１ｂ  ラッチ回路
６２  通信ドライブ回路
６３  ソレノイドドライブ回路
６４  接点ドライブ回路
６５ａ，６５ｂ  バッファ回路
６６ａ、６６ｂ  電圧変換回路
６７ａ、６７ｂ  フィルタ回路
６８  整流回路
６９  平滑回路
７０  主基板ユニット
７１  第１ケース
７２  封止部
７３  上蓋部材
７４  下蓋部材
７８  開口部
８１  凹部
８２  係止爪
９０  副基板ユニット
９１  第２ケース
９２、９３  導電性の壁部
９４  凹室
９８  Ｌ字形状の導電性の壁部
９９  スリット
１００  第１コネクタ
１０１  コネクタ
１０２  止着具
１０３  開口部
１１０  第２コネクタ
１１１  上蓋部材
１１２  下蓋部材
１２０  導電性板部材
１２２  基板止着部材
１３１  遊技制御装置
１３２、１３３、１３４、１３５  導電性の壁部
１３９  開口部
１４１  遊技制御装置
１４２  開口窓
１４３  内箱
１４４  外箱
１４５、１４６、１４７、１４８  樹脂製の壁部
１５０  開口部
１５３  係合爪
１５５  係合溝
１６１  遊技制御装置
１６２  開口部
１６５  係合爪
１６６  第１腕部
１６７  第２腕部
【図１】
2005118165.tif 000003
【図２】
2005118165.tif 000004
【図３】
2005118165.tif 000005
【図４】
2005118165.tif 000006
【図５】
2005118165.tif 000007
【図６】
2005118165.tif 000008
【図７】
2005118165.tif 000009
【図８】
2005118165.tif 000010
【図９】
2005118165.tif 000011
【図１０】
2005118165.tif 000012
【図１１】
2005118165.tif 000013
【図１２】
2005118165.tif 000014
【図１３】
2005118165.tif 000015
【図１４】
2005118165.tif 000016
【手続補正書】
【提出日】平成16年10月27日(2004.10.27)
【手続補正１】
【補正対象書類名】特許請求の範囲
【補正対象項目名】全文
【補正方法】変更
【補正の内容】
【特許請求の範囲】
【請求項１】
遊技領域における遊技を統括的に制御する遊技制御装置を備えた遊技機において、
前記遊技制御装置は、
内部が透視可能に形成された樹脂製の第１ケースに収納される主基板と、
中空箱形状に形成された導電性の部材からなる第２ケースに収納される副基板と、
から成り、
前記副基板は、
前記遊技領域に設けられる各種センサの入力回路と、
前記遊技領域に設けられる各種電動式役物装置の出力回路と、
を備え、
前記主基板は、
遊技プログラムが記録されたＲＯＭと、
前記ＲＯＭに記録された遊技プログラムに基づいて入出力を管理して遊技の制御を行うＣＰＵと、
前記ＣＰＵを動作させるクロックと、
前記ＣＰＵのワーク領域としてのＲＡＭと、
前記入力回路及び前記出力回路を選択するためのデコーダ回路と、
を備え、
前記主基板と前記副基板とは、
前記第１ケースの開口部から臨む主基板に設けられた第１コネクタと、前記第２ケースの開口部から臨む副基板に設けられた第２コネクタと、を接続して制御線が連結するように構成し、
前記主基板が収納される第１ケースの背面に、前記副基板が収納される第２ケースを配置すると共に、前記副基板のＧＮＤを第２ケースに導通するように構成し、
前記第２ケースの周縁部の一部に、前記第１ケースが収まるように上面及び側面が開放した導電性の壁部から成る凹室を形成し、該凹室内に前記第１ケースを配置したことを特徴とする遊技機。
【請求項２】
遊技領域における遊技を統括的に制御する遊技制御装置を備えた遊技機において、
前記遊技制御装置は、
内部が透視可能に形成された樹脂製の第１ケースに収納される主基板と、
中空箱形状に形成された導電性の部材からなる第２ケースに収納される副基板と、
から成り、
前記副基板は、
前記遊技領域に設けられる各種センサの入力回路と、
前記遊技領域に設けられる各種電動式役物装置の出力回路と、
を備え、
前記主基板は、
遊技プログラムが記録されたＲＯＭと、
前記ＲＯＭに記録された遊技プログラムに基づいて入出力を管理して遊技の制御を行うＣＰＵと、
前記ＣＰＵを動作させるクロックと、
前記ＣＰＵのワーク領域としてのＲＡＭと、
前記入力回路及び前記出力回路を選択するためのデコーダ回路と、
を備え、
前記主基板と前記副基板とは、
前記第１ケースの開口部から臨む主基板に設けられた第１コネクタと、前記第２ケースの開口部から臨む副基板に設けられた第２コネクタと、を接続して制御線が連結するように構成し、
前記主基板が収納される第１ケースの背面に、前記副基板が収納される第２ケースを配置すると共に、前記副基板のＧＮＤを第２ケースに導通するように構成し、
前記第１ケースは、上蓋部材及び下蓋部材からなり、上蓋部材及び下蓋部材の封止部を封着して結合され、
前記第２ケースは、前記中空箱形状の中央部に前記第１ケースが収まるように上面が開放した導電性の壁部から成る凹室と、前記第１ケースの封止部を収容する封止部収容室と、を形成し、
前記第２ケースの凹室内に前記第１ケースを配置して、該第１ケースの周囲を導電性部材で覆うようにしたことを特徴とする遊技機。
【請求項３】
前記第２ケースは、
内部を視認可能な開口が形成されていることを特徴とする請求項１または２に記載の遊技機。
【請求項４】
前記遊技制御装置に各種直流電源を供給する電源装置を備え、
前記電源装置から供給される各種直流電源は、前記副基板に供給して該副基板から主基板にロジック電源を供給するように構成したことを特徴とする請求項１から３のいずれかに記載の遊技機。
【手続補正２】
【補正対象書類名】明細書
【補正対象項目名】全文
【補正方法】変更
【補正の内容】
【発明の詳細な説明】
【技術分野】
【０００１】
本発明は、遊技領域における遊技を統括的に制御する遊技制御装置を備えたパチンコ機などの遊技機に関する。
【背景技術】
【０００２】
パチンコ機、パチスロ機、雀球機、アレンジボール機等の遊技機では、遊技制御装置によって、遊技領域における遊技が統括的に制御されている。例えば、パチンコ機の遊技制御装置は、一枚のプリント基板上に、ＣＰＵ、ＲＯＭ、ＲＡＭ（或いは、ＣＰＵ及びＲＡＭが一体になったチップや、ＣＰＵ、ＲＡＭ及びＲＯＭが一体になったチップ）を備えると共に、クロック回路、入出力回路、デコーダ回路等を備えており、弾発された打球に基づいて、遊技領域に設けられる各種センサや各種電動式役物装置が制御され、遊技が進行される。
【０００３】
遊技制御装置は、遊技を統括的に制御する基板として構成されているため、該制御基板が不正に改造されているか否かを監視する必要があり、内部が視認可能な透明な樹脂製ケース内に収納されている。従前は、ノイズ等による誤動作を防止するために遊技制御装置を金属ケース内に収納し、基板上のＲＯＭが視認可能なように金属ケースに開口を開設していたが、近年は不正の手口も巧妙となっているので、ケース内の内部全体を詳細に視認しうるように透明な樹脂製ケースを用いている。
【０００４】
ところで、近年、コンピュータのリサイクルが促進されているが、パチンコ機等の遊技機においても、地球環境等を考慮して、各種部品や各種電子装置等のリサイクルや共通化が図られている。
【０００５】
上述した遊技制御装置は、共通的に利用できるＣＰＵ、ＲＡＭ、クロック回路及びデコーダ回路と、機種に依存してしまうＲＯＭや入出力回路とに区分でき、リサイクル等を考慮すると、これらの共通部分と機種依存部分とを分離可能な構成とし、共通部分を再利用することが望ましい。
【０００６】
これに関連する技術としては、例えば、特開平０１−１７１５８５号公報（特許文献1）に「遊技機器の制御装置」に係る発明が提案されている。この発明は、遊技機器に設けた入力装置から入力される信号に応じ予め格納された遊技手順に基づいて前記遊技機器に設けた出力装置を制御する制御回路を有し、該制御回路を複数種の前記遊技機器にそれぞれ共通使用可能な共通回路と前記複数種の各遊技機器にそれぞれ固有な非共通回路とで構成し、前記共通回路または非共通回路を集積回路によって形成することを要旨としており、共通回路を共通利用して生産性の向上を図っている。また、この特許文献１の図８に関する説明において、共通部分の基板と非共通部分の基板とをコネクタを介して分離可能な構成としている旨が開示されている。
【特許文献１】特開平０１−１７１５８５号公報
【発明の開示】
【発明が解決しようとする課題】
【０００７】
しかしながら、上記特許文献に記載されたように、単に共通部分と機種依存部分とを分離可能な構成にすると、共通部分を構成するＣＰＵ等（なお、ＲＯＭはソケットとし共通部分に配置する）と、機種依存する入出力回路とを、コネクタを介して制御線で接続しなければならず、ノイズ等の外的要因による影響を受けて誤動作の虞れが大きくなるため、ノイズ等の影響を受けにくい構成を採用する必要がある。
【０００８】
また、ノイズ等の影響を受けにくい構成を採用しつつ、不正行為の監視を考慮して、ＣＰＵ及びＲＯＭが配置される共通部分は内部全体を詳細に視認しうる構成としなければならない。
【０００９】
そこで、本発明は、上記課題に鑑みて提案されたものであり、遊技制御装置を共通利用可能な部分と、機種に依存する部分とに分離可能な構成にすると共に、この分離可能な構成においても、ノイズ等の外的要因の影響を受け難く、かつＣＰＵ及びＲＯＭが配置される共通部分を詳細に視認可能な遊技機を提供することを目的とする。
【課題を解決するための手段】
【００１０】
上記の目的を達成すべく、請求項１に記載のものは、遊技領域における遊技を統括的に制御する遊技制御装置を備えた遊技機において、
前記遊技制御装置は、
内部が透視可能に形成された樹脂製の第１ケースに収納される主基板と、
中空箱形状に形成された導電性の部材からなる第２ケースに収納される副基板と、
から成り、
前記副基板は、
前記遊技領域に設けられる各種センサの入力回路と、
前記遊技領域に設けられる各種電動式役物装置の出力回路と、
を備え、
前記主基板は、
遊技プログラムが記録されたＲＯＭと、
前記ＲＯＭに記録された遊技プログラムに基づいて入出力を管理して遊技の制御を行うＣＰＵと、
前記ＣＰＵを動作させるクロックと、
前記ＣＰＵのワーク領域としてのＲＡＭと、
前記入力回路及び前記出力回路を選択するためのデコーダ回路と、
を備え、
前記主基板と前記副基板とは、
前記第１ケースの開口部から臨む主基板に設けられた第１コネクタと、前記第２ケースの開口部から臨む副基板に設けられた第２コネクタと、を接続して制御線が連結するように構成し、
前記主基板が収納される第１ケースの背面に、前記副基板が収納される第２ケースを配置すると共に、前記副基板のＧＮＤを第２ケースに導通するように構成し、
前記第２ケースの周縁部の一部に、前記第１ケースが収まるように上面及び側面が開放した導電性の壁部から成る凹室を形成し、該凹室内に前記第１ケースを配置したことを特徴とする遊技機である。
【００１１】
請求項２に記載のものは、遊技領域における遊技を統括的に制御する遊技制御装置を備えた遊技機において、
前記遊技制御装置は、
内部が透視可能に形成された樹脂製の第１ケースに収納される主基板と、
中空箱形状に形成された導電性の部材からなる第２ケースに収納される副基板と、
から成り、
前記副基板は、
前記遊技領域に設けられる各種センサの入力回路と、
前記遊技領域に設けられる各種電動式役物装置の出力回路と、
を備え、
前記主基板は、
遊技プログラムが記録されたＲＯＭと、
前記ＲＯＭに記録された遊技プログラムに基づいて入出力を管理して遊技の制御を行うＣＰＵと、
前記ＣＰＵを動作させるクロックと、
前記ＣＰＵのワーク領域としてのＲＡＭと、
前記入力回路及び前記出力回路を選択するためのデコーダ回路と、
を備え、
前記主基板と前記副基板とは、
前記第１ケースの開口部から臨む主基板に設けられた第１コネクタと、前記第２ケースの開口部から臨む副基板に設けられた第２コネクタと、を接続して制御線が連結するように構成し、
前記主基板が収納される第１ケースの背面に、前記副基板が収納される第２ケースを配置すると共に、前記副基板のＧＮＤを第２ケースに導通するように構成し、
前記第１ケースは、上蓋部材及び下蓋部材からなり、上蓋部材及び下蓋部材の封止部を封着して結合され、
前記第２ケースは、前記中空箱形状の中央部に前記第１ケースが収まるように上面が開放した導電性の壁部から成る凹室と、前記第１ケースの封止部を収容する封止部収容室と、を形成し、
前記第２ケースの凹室内に前記第１ケースを配置して、該第１ケースの周囲を導電性部材で覆うようにしたことを特徴とする遊技機である。
【００１２】
請求項３に記載のものは、前記第２ケースは、
内部を視認可能な開口が形成されていることを特徴とする請求項１または２に記載の遊技機である。
【００１３】
請求項４に記載のものは、前記遊技制御装置に各種直流電源を供給する電源装置を備え、
前記電源装置から供給される各種直流電源は、前記副基板に供給して該副基板から主基板にロジック電源を供給するように構成したことを特徴とする請求項１から３のいずれかに記載の遊技機である。
【発明の効果】
【００１４】
本発明の遊技機によれば、次のような優れた効果を奏する。
すなわち、請求項１に記載の発明によれば、遊技制御装置が、共通利用可能な部分であるＣＰＵ及びＲＯＭ等を備えた主基板と、機種に依存する部分である各種センサの入力回路及び各種電動式役物装置の出力回路を備えた副基板とに区分され、内部が透視可能に形成された樹脂製の第１ケースに主基板が収納されると共に、導電性の部材からなる第２ケースに副基板が収納されており、主基板と副基板とは、第１ケースの開口部から臨む主基板に設けられた第１コネクタと、第２ケースの開口部から臨む副基板に設けられた第２コネクタとを接続して制御線が連結するように構成しているので、共通利用可能な部分と機種に依存する部分とが分離可能である。また、主基板が収納される第１ケースの背面に、副基板が収納される第２ケースを配置すると共に、副基板のＧＮＤを第２ケースに導通するように構成したので、この分離可能な構成を採ってもノイズ等の外的要因の影響を受け難く、誤作動を防止することができる。また、副基板を収納する中空箱形状に形成した第２ケースの周縁部に第１ケースが収まるように凹室を形成し、この凹室内にＣＰＵ及びＲＯＭが配置される共通部分である主基板を収納する樹脂製の第１ケースを配置しているので、この第１ケースを第２ケースの凹室に取り付けた状態であってもＣＰＵ及びＲＯＭが配置される共通部分を詳細に視認可能であり、分離作業や第１ケースの封止作業を行い易い。さらに、凹室は、上面及び側面が開放した導電性の壁部から成っているので、第１ケースに収納されている主基板もノイズ等の外的要因の影響を受け難く、誤作動が防止することができる。
【００１５】
請求項２に記載の発明によれば、遊技制御装置が、共通利用可能な部分であるＣＰＵ及びＲＯＭ等を備えた主基板と、機種に依存する部分である各種センサの入力回路及び各種電動式役物装置の出力回路を備えた副基板とに区分され、内部が透視可能に形成された樹脂製の第１ケースに主基板が収納されると共に、導電性の部材からなる第２ケースに副基板が収納されており、主基板と副基板とは、第１ケースの開口部から臨む主基板に設けられた第１コネクタと、第２ケースの開口部から臨む副基板に設けられた第２コネクタとを接続して制御線が連結するように構成しているので、共通利用可能な部分と機種に依存する部分とが分離可能である。また、主基板が収納される第１ケースの背面に、副基板が収納される第２ケースを配置すると共に、副基板のＧＮＤを第２ケースに導通するように構成したので、この分離可能な構成を採ってもノイズ等の外的要因の影響を受け難く、誤作動を防止することができる。また、第１ケースは、上蓋部材及び下蓋部材からなり、上蓋部材及び下蓋部材の封止部を封着して結合され、第２ケースは、中空箱形状の中央部に第１ケースが収まるように上面が開放した導電性の壁部から成る凹室と、第１ケースの封止部を収容する封止部収容室とを形成し、第２ケースの凹室内に第１ケースを配置して、該第１ケースの周囲を導電性部材で覆うようにしたので、この第１ケースを第２ケースの凹室に取り付けた状態であってもＣＰＵ及びＲＯＭが配置される共通部分を詳細に視認可能である。また凹室は、上面が開放した導電性の壁部から成っており、周囲が導電性部材で覆われているので、第１ケースに収納されている主基板もノイズ等の外的要因の影響を受け難く、誤作動が防止することができる。
【００１６】
請求項３に記載の発明によれば、導電性の部材からなる第２ケースには、内部を視認可能な開口が形成されているので、副基板上の機種に依存する制御部品をも視認可能である。
【００１７】
請求項４に記載の発明によれば、遊技制御装置に各種直流電源を供給する電源装置を備え、この電源装置から供給される各種直流電源は副基板に供給して、該副基板から主基板にロジック電源を供給するように構成したので、共通利用可能な部分である主基板と機種に依存する部分である副基板とを分離可能に構成しても、確実に安定した電源供給を行うことができる。
【発明を実施するための最良の形態】
【００１８】
以下、本発明の実施の形態を図面に基づいて説明する。なお、以下の説明は、代表的な遊技機であるパチンコ遊技機（以下、単に「遊技機」と称する。）を例に挙げて説明する。
【００１９】
遊技機１は、図１に示すように、機枠により囲われており、この機枠に開口部を有する額縁状の前面枠２を開閉可能に取り付けてある。この前面枠２には、遊技盤３を取り付けると共に、開口部を前方から塞ぐようにして、透明なガラスや樹脂板で構成された前面透視部材を備える前面カバー部材４と、前面に上皿５を設けた開閉パネル６とを開閉可能に取り付ける。そして、前面カバー部材４の閉止状態では、遊技盤３の遊技領域７が前面透視部材を介して臨む。また、開閉パネル６の下方には下皿８を設けてあり、この下皿８の左側には灰皿９を、右側には発射操作ハンドル１０をそれぞれ設ける。また、この遊技機１には、装飾用ランプや装飾用ＬＥＤ等の装飾発光装置１１、及び効果音や音声メッセージ等を出力可能なスピーカ４４（図２参照）も備えられる。
【００２０】
上記遊技盤３の前面側表面には、ガイドレール等の区画部材１２を配設しており、この区画部材１２によって遊技領域７が区画されている。この遊技領域７の略中央には変動表示装置１３が配設され、この変動表示装置１３よりも下方には特別変動入賞装置としての大入賞口１４が配設される。そして、変動表示装置１３と大入賞口１４との間には、始動入賞口１５が配設される。また、遊技領域７の各所には、複数の一般入賞口１６…が配設されると共に、一対の普図ゲート１７，１７が配設されている。この他に、遊技領域７内の適宜箇所には風車等の転動誘導部材１９が適宜配設され、遊技領域７内の最下部にはアウト球が流入するアウト口１８が設けられる。
【００２１】
上記の変動表示装置１３は特別図柄表示装置とも呼ばれ、表示装置の一種である。この変動表示装置１３は、演出制御装置２１（図２参照）によってその表示が制御され、識別図柄を変動表示する一連の変動表示ゲームや客待ち画面等、遊技機１の状態に応じて種々の表示を行う。この変動表示装置１３は、例えば、ＬＣＤ（液晶表示器）やＣＲＴ（ブラウン管）等の画像表示装置で構成され、識別図柄としては、数字、漢字やアルファベット等の文字、シンボルマーク等が用いられる。
【００２２】
始動入賞口１５は、遊技球（打球）の入賞が変動表示ゲームの実行条件に設定された入賞口である。即ち、この始動入賞口１５に入賞した遊技球が特図始動センサ２４（図２参照）で検出されると、この検出情報に基づく抽選結果が始動記憶として一旦記憶される。そして、この始動記憶に基づく表示制御情報を演出制御装置２１が受信すると変動表示ゲームが行われる。なお、始動記憶は、記憶可能な最大数が規定されており、例えば４個である。この記憶数は、始動記憶表示器によって表示される。本実施形態の始動記憶表示器は、変動表示装置１３の画像表示領域に表示される。
【００２３】
また、本実施形態における始動入賞口１５は、羽根部材を有する普通電動役物として構成され、羽根部材が普電ソレノイド２５（図２参照）によって通常状態と開放状態とに切り替えできる。そして、開放状態に切り替えると、始動入賞口１５への入賞し易さが通常状態よりも高くなる。
【００２４】
大入賞口１４は、大入賞口ソレノイド２６（図２参照）によって閉状態と開状態に変換可能であり、変動表示ゲームの大当たりによってなされる特別遊技（遊技者に対する特典であり、遊技価値の付与に相当する。）において適宜開状態に変換される。そして、開状態において遊技球はこの大入賞口１４に容易に入賞可能である。
【００２５】
上記の発射操作ハンドル１０は、遊技球（持ち球）を発射する際に操作される。この発射操作ハンドル１０の操作により、遊技球は遊技領域７に向けて発射される。そして、遊技領域７に達した遊技球は、障害釘（図示せず）や転動誘導部材等によって方向を変えながら遊技領域７内を流下する。
【００２６】
次に、遊技機１の電気的構成（制御系）について説明する。ここで、図２は、遊技制御装置を中心とする制御系を示すブロック図である。
図２において、遊技制御装置３１は、遊技を統括的に制御する遊技制御手段として機能する。この遊技制御装置３１は、共通利用可能な部分である主基板５０と、機種依存する部分である副基板６０との２枚の基板により構成され、それぞれの基板を第１コネクタ１００と第２コネクタ１１０とにより相互接続している。
【００２７】
主基板５０は、クロック信号を発生する発振器５１、遊技制御を司るＣＰＵ５２、遊技制御時にワークエリアとして利用されるＲＡＭ５３、遊技制御のための不変の情報を記憶しているＲＯＭ５４、ＣＰＵ５２からアドレスを指定するアドレス信号を伝達するアドレスバス５５、ＣＰＵ５２との間でデータ信号の送受を行うデータバス５６、ＣＰＵ５２からの各種制御信号（データの書込みを指示するライト信号、データの読出しを指示するリード信号を含む）を伝達する制御バス５７、及びＣＰＵ５２からアクセスされる回路を選択するデコード回路５８等から構成される。なお、デコード回路５８からは、出力ポートとして機能するラッチ回路６１ａ，６１ｂや、入力ポートとして機能するバッファ回路６５ａ，６５ｂのうち、１つの回路を選択するためのセレクト信号が出力されるようになっており、このセレクト信号はアドレス信号をデコードすることにより生成されるようになっている。
【００２８】
この様に、本実施形態では発振器５１がＣＰＵを動作させるクロックに、ＲＡＭ５３がＣＰＵのワーク領域としてのＲＡＭに、ＲＯＭ５４が遊技プログラムが記録されたＲＯＭに、ＣＰＵ５２がＲＯＭに記録された遊技プログラムに基づいて入出力を管理して遊技の制御を行うＣＰＵに、デコード回路５８が入力回路及び出力回路を選択するためのデコーダ回路にそれぞれ相当している。
【００２９】
副基板６０は、入力インターフェイス部、出力インターフェース部、電源回路部により構成されている。
【００３０】
入力インターフェイス部は、遊技領域に設けられる各種センサの入力回路に相当するものであり、外部からのノイズ入力を除去するフィルタ回路６７ａ、６７ｂと、ノイズ除去された各種センサの電圧信号をＣＰＵ５２で認識可能な電圧の信号に変換する電圧変換回路６６ａ、６６ｂと、電圧変換された信号を主基板５０のデータバス５６側に受け渡すバッファ回路６５ａ、６５ｂとにより構成された回路ブロックである。
【００３１】
出力インターフェイス部は、遊技領域に設けられる各種電動式役物装置の出力回路に相当するものであり、ＣＰＵ５２からのデータ信号を保持するラッチ回路６１ａ、６１ｂと、ラッチ回路６１ａに保持されている信号を演出制御装置２１や排出制御装置４２へ伝達可能な信号レベルに変換する通信ドライブ回路６２と、ラッチ回路６１ｂに保持されている信号を普電ソレノイド２５や大入賞口ソレノイド２６の駆動電圧レベルに変換するソレノイドドライブ回路６３と、ラッチ回路６１ｂに保持されている信号を情報出力端子盤（盤用外部情報）４１に搭載されているリレー等の接点を駆動できる電圧に変換する接点ドライブ回路６４とにより構成される回路ブロックである。
【００３２】
電源回路部は、各種直流電源を供給する電源装置に相当するものであり、遊技機１の外部から給電される２４ボルトの交流電源を全波整流する整流回路６８と、整流された電源をコンデンサ等を用いて３３ボルトに平滑する平滑回路６９と、平滑された電源を１２ボルトへ変換する定電圧回路４５と、１２ボルトの電源をロジックレベルの５ボルトに変換するロジック電源回路４６により構成される回路ブロックである。なお、３３ボルトに平滑された電源はソレノイドの駆動用として用いられ、１２ボルトへ変換された電源は各種センサの電圧変換のために用いられ、５ボルトの電源はラッチ回路６１ａ、６１ｂやバッファ回路６５ａ、６５ｂの電源として用いられる。
【００３３】
また、ロジック電源回路４６で生成された５ボルトの電源を主基板５０側の各素子（ＣＰＵ５２、ＲＡＭ５３、ＲＯＭ５４等）の駆動電源として、副基板６０の第２コネクタ１１０から主基板５０の第１コネクタ１００を介して主基板５０側へ供給している。さらに、第１コネクタ１００と第２コネクタ１１０との接続により、主基板５０からのセレクト信号、データ信号、ライト信号及びリード信号が、ラッチ回路６１ａ、６１ｂとバッファ回路６５ａ、６５ｂに伝達される。また、第１コネクタ１００と第２コネクタ１１０とのの接続を介して、主基板５０側のグランド面(ＧＮＤ) と副基板６０側のグランド面(ＧＮＤ) とが導通するように構成されている。
【００３４】
ＣＰＵ５２は、副基板６０の入力インターフェイス部を介して特図始動センサ２４、普図始動センサ３６、継続センサ３７、カウントセンサ３８、及び、入賞口センサ３９…と電気的に接続されている。そして、これらの各種センサからの検出信号に基づいて、大当たり抽選等、種々の処理を行う。また、ＣＰＵ５２は、出力インターフェース部を介して、普電ソレノイド２５、大入賞口ソレノイド２６、情報出力端子盤４１に電気的に接続されている。また、演出制御装置２１、排出制御装置４２等の各種制御装置にも電気的に接続されている。そして、ＣＰＵ５２は、これらの各種制御装置等に制御情報を送信することで、遊技を統括的に制御する。
【００３５】
上記の特図始動センサ２４は、上記したように始動入賞口１５に入賞した遊技球を検出するためのセンサであり、普図始動センサ３６は、遊技球の普図ゲート１７の通過を検出するためのセンサである。継続センサ３７は、大入賞口１４に入賞した遊技球の内、所謂Ｖゾーン（継続入賞口）を通った遊技球を検出するセンサであり、カウントセンサ３８は、大入賞口１４に入賞した遊技球を１個宛検出するセンサである。入賞口センサ３９は、一般入賞口１６に入賞した遊技球を検出するためのセンサであり、本実施形態では１つの一般入賞口１６に１つの入賞口センサ３９を対応させて設けている。
【００３６】
普電ソレノイド２５は、上記したように、羽根部材を開閉するための駆動源である。大入賞口ソレノイド２６は、大入賞口１４を開閉するための駆動源である。情報出力端子盤４１は、遊技機外部と電気的に接続するためのリレー等の接点、及び端子（コネクタ）を備えた部材であり、外部に出力する盤用外部情報が出力される。
【００３７】
排出制御装置４２は、遊技制御装置３１からの賞球指令信号やカード球貸ユニットからの貸球要求信号に基づいて、球排出装置（図示せず）を制御し、必要な数の遊技球（賞球や貸球）を排出させる。なお、球排出装置から排出された遊技球は、上記の上皿５や下皿８に供給される。
【００３８】
演出制御装置２１は、遊技制御装置３１からの指令信号に基づいて変動表示装置１３にて複数の識別図柄を変動表示させる変動表示ゲームを実行すると共に、大当たりの場合に変動表示ゲームの表示結果として大当たり結果態様を表示させる処理を行う。また、演出制御装置２１は、遊技制御装置３１からの指令信号によって、表示装置１３の表示内容や、装飾用ランプや装飾用ＬＥＤ等の装飾発光装置１１の動作を制御すると共に、スピーカ４４からの効果音や音声メッセージ等の出力をも制御する。
【００３９】
なお、主基板５０において、ＣＰＵ５２、ＲＡＭ５３、ＲＯＭ５４を全て一体化したワンチップのマイクロコンピュータにより構成してもよく、当該ワンチップのマイクロコンピュータがプリント基板にソケットを用いて取り付けられていてもよい。このようにワンチップのマイクロコンピュータをソケット装着する場合には、主基板のリサイクル流用が可能である。
【００４０】
また、主基板５０において、ＣＰＵ５２、ＲＡＭ５３を一体化したワンチップのマイクロコンピュータにより構成し、ＲＯＭ５４のみをマイクロコンピュータから分離した構成にしてもよい。そして、当該ＲＯＭ５４はプリント基板にソケットを用いて取り付けられていてもよい。このようにＲＯＭ５４をソケット装着すると、主基板のリサイクル流用が可能である。
【００４１】
さらに、デコード回路５８を副基板６０に設けてもよい。この場合、アドレス信号が第１コネクタ１００及び第２コネクタ１１０を介して主基板５０から副基板６０へ伝達される構成とする。このように構成するとセレクト信号の本数の自由度が高まり、選択される回路の個数制限がなくなる。
【００４２】
そして、ラッチ回路６１ａ、６１ｂを主基板５０に設け、ラッチ回路６１ａ、６１ｂに保持されている信号を、第１コネクタ１００及び第２コネクタ１１０を介して副基板側のドライブ回路へ伝達する構成でもよい。このように構成するとＲＯＭ５４、ＲＡＭ５３、ＣＰＵ５２のみならず、ラッチ回路６１ａ、６１ｂも全機種において共通利用できる。
【００４３】
また、バッファ回路６５ａ、６５ｂを主基板５０に設け、副基板側の電圧変換回路６６ａ、６６ｂから伝達される入力信号を、第１コネクタ１００及び第２コネクタ１１０を介して主基板のバッファ回路６５ａ、６５ｂに取り込んでもよい。このように構成するとＲＯＭ５４、ＲＡＭ５３、ＣＰＵ５２のみならず、バッファ回路６５ａ、６５ｂも全機種において共通利用できる。
【００４４】
以上のような構成を有する遊技制御装置３１は、遊技機１の裏面を覆う裏機構盤に取り付けられており、裏機構盤にはその他各種の制御を行う制御装置が機能別に分けて、例えば、演出制御装置２１、排出制御装置４２、発射制御装置等に分けて設けられ、中継基板や接続ケーブルを介して電気的に接続されている。また、裏機構盤には制御装置以外の機器として球貯留タンクや球排出ユニット等が適宜配置されている。
【００４５】
次に、遊技制御装置３１の第１実施形態の構造について説明する。図３は、第１の実施形態の遊技制御装置を示す平面図及び側面図である。また図４は、第１の実施形態における副基板ユニットを示す平面図及び側面図である。さらに図５は、第１の実施形態における主基板ユニットの表面側及び裏面側を示す図である。なお、これらの図において、上面または表面とは、遊技機１の裏面側から直視した状態での上面または表面を意味する。
【００４６】
遊技制御装置３１は、上述したように、遊技の統括的な制御を行う装置であり、共通利用可能な部分であるＣＰＵ５２等を搭載した主基板５０と、機種依存する部分である副基板６０とによって構成され、主基板５０を内部が透視可能に形成された樹脂製の第１ケース７１に収納すると共に、副基板６０を導電性の部材からなる第２ケース９１に収納している。ここで、主基板ユニット７０は、主基板５０を第１ケース７１内に収納したものであり、また副基板ユニット９０は副基板６０を第２ケース９１に収納したものである。
【００４７】
図３に示すように、第１の実施形態では、主基板ユニット７０は、副基板ユニット９０の周縁部の一部、本実施形態では左下の隅角部に配置してある。副基板ユニット９０を構成する第２ケース９１は、アルミニウム等の導電性を有する部材（素材）を用いて、副基板６０を収納可能に中空箱形状に形成してあり、この中空箱形状の周縁部の一部、本実施形態では左下の角部に第１ケース７１が収まるように上面及び二側面が開放した導電性の壁部９２、９３から成る凹室９４を形成し、該凹室９４内に第１ケース７１を配置している。
【００４８】
なお、図３（ａ）に示すように、開放されている二側面にＬ字形状の導電性の壁部９８を立設して、第１ケース７１が凹室９４内に配置された状態で導電性の壁部９２、９３、９８で周囲が覆われるように構成してもよい。そして、Ｌ字形状の導電性の壁部９８には、第１ケース７１の封止部７２を凹室９４内から外方へ突き出させるためのスリット９９を形成してもよい。この様に、封止部７２を凹室９４内から外方へ突き出させる構成を採ると、凹室９４をその分コンパクトにでき、ひいては第２ケース９１の小型化に寄与できる。
【００４９】
また、図３（ａ）に示すように、第２ケース９１の長辺の一側部（上側部）には、内部に収納した副基板６０の一部が延出され、この延出部分には該副基板６０を遊技盤や演出制御装置２１、排出制御装置４２等と接続するための複数のコネクタ１０１…が配置してある。この第２ケース９１は、その周囲の複数箇所に耳片状に突設した止着片の止着具１０２によって遊技機１の裏機構盤の所定位置に固定するように構成されている。
そして、図４に示すように、第２ケース９１の左下角部に区画した凹室９４の底面（床面）は、アルミニウム等の導電性を有する部材によって覆われており、この凹室９４の底面の一部に形成した開口部１０３から副基板６０の第２コネクタ１１０が突き出している。
【００５０】
一方、第１ケース７１は、図５に示すように、内部が透視可能な樹脂製の上蓋部材７３と下蓋部材７４とから成り、第２ケース９１の左下隅角部に区画した凹室９４内に丁度収納し得る大きさの中空箱形状に形成してあり、内部に主基板５０を収納した後、封止部７２を結合することにより、不正行為を防止するように成っている。この第１ケース７１の裏面側には開口部７８が形成され、この開口部７８から主基板５０の第１コネクタ１００が突き出している。
【００５１】
そして、主基板５０と副基板６０とは、第１ケース７１の開口部７８から臨む主基板５０に設けられた第１コネクタ１００と、第２ケース９１の開口部１０３から臨む副基板６０に設けられた第２コネクタ１１０とを接続して制御線が連結するように構成してあり、これらコネクタ１００、１１０には、電源供給端子やＧＮＤ（接地）端子も組み込まれている。即ち、遊技制御装置３１には、図２に示したように、ＡＣ２４Ｖを整流回路６８等を介して各種直流電源を供給する電源装置が備えられ、この電源装置から供給される各種直流電源は副基板６０に供給して、コネクタ１００、１１０を通じて該副基板６０から主基板５０にロジック電源を供給するように構成してある。したがって、共通利用可能な部分である主基板５０と、機種に依存する部分である副基板６０とを分離可能に構成して、コネクタ１００、１１０によって接続するように構成しても、確実に安定した電源供給を行うことができる。
なお、遊技制御装置３１とは別個に電源装置を設け、この電源装置から副基板６０に電源を供給してロジック電源を生成し、このロジック電源を主基板５０に供給するように構成しても良い。
【００５２】
このように副基板ユニット９０の凹室９４内に主基板ユニット７０を配置し、第２ケース９１から上面へ突出した副基板６０の第２コネクタ１１０に、第１ケース７１から下面へ突出した主基板５０の第１コネクタ１００を接続するので、第１ケース７１の上面側には、該主基板ユニット７０を指で把持するための半円状の凹部８１をコネクタ１００の両側付近に形成し、この凹部８１を指で摘んで主基板ユニット７０が容易に着脱できるように構成してある。また、コネクタ１００、１１０の接続を維持するために、第１ケース７１の一側部には係止爪８２を突設し、第２ケース９１の凹室９４に第１ケース７１を収納した際に上記係止爪８２に対向する導電性部材の壁部９２の所定位置に、上記係止爪８２に係合する係止溝（図示せず）を形成してある。
【００５３】
次に、図６及び図７を用いて、第１の実施形態における副基板ユニット９０の構造を更に詳しく説明する。図６は第１の実施形態における副基板ユニットの組立状態を示す斜視図であり、図７は第１の実施形態における副基板ユニットの分解状態を示す斜視図である。なお、これらの図においては、上述した凹室９４の二側面に設けたＬ字形状の壁部９８は省略してある。
【００５４】
これらの図に示すように、副基板ユニット９０は、上蓋部材１１１及び下蓋部材１１２から成る導電性の部材により形成した第２ケース９１と、下蓋部材１１２上に載置した状態で第２ケース９１内に収納する副基板６０とから構成される。下蓋部材１１２は略長方形状の平板部材であり、略四隅にネジ穴１１３が形成され、上面にはクッション部材１１５が装着されている。このクッション部材１１５は、副基板ユニット９０に主基板ユニット７０を取り付ける際に、副基板６０にかかる押圧力を緩衝する役割を果たすものであり、これにより副基板６０が撓むのを防止することができる。この下蓋部材１１２上に載置される副基板６０の略四隅にも、上記ネジ穴１１３の形成位置に合せてネジ穴１１６が形成してある。そして、この副基板６０の上部を覆う上蓋部材１１１は、上述したように、下蓋部材１１２と共に中空箱形状に形成してあり、この中空箱形状の周縁部の一部、本実施形態では左下の隅角部に第１ケース７１が収まるように凹室９４を形成している。この凹室９４の底面には、副基板６０の第２コネクタ１１０を突き出させるための開口部１０３が形成してある。また、上蓋部材１１１の周囲には、第２ケース９１を遊技機１の裏機構盤に固定するための止着具１０２が設けられている。さらに、この上蓋部材１１１の下面には、上記ネジ穴１１３、１１６の位置に合せてネジ受け穴１１８が形成してあり、下蓋部材１１２、副基板６０及び上蓋部材１１１を順に配して、上記ネジ穴１１３、１１６及びネジ受け穴１１８を合わせて、下蓋部材１１２、副基板６０及び上蓋部材１１１が位置決めされた状態で下蓋部材１１２の下面から上記ネジ穴１１３、１１６及びネジ受け穴１１８にネジ１１９を挿入して螺合し、これにより下蓋部材１１２、副基板６０及び上蓋部材１１１が一体化されて副基板ユニット９０が完成する。この組み立て状態で、上蓋部材１１１の長辺一側部から副基板６０の一部が延出しており、その延出部分には該副基板６０を遊技盤や演出制御装置２１、排出制御装置４２等と接続するための複数のコネクタ１０１…が配置されている。
そして、副基板６０にはＧＮＤの配線パターン（図示せず）がネジ穴１１６の開口近傍表裏両面にまで延長して形成されているので、上記したようにして副基板６０を間に挟んだ状態で組み立てると、上蓋部材１１１のネジ受け穴１１８の近傍部分が副基板６０のＧＮＤに導通するとともに、下蓋部材１１２のネジ穴１１３の近傍部分が副基板６０のＧＮＤに導通することとなり、これにより副基板６０のＧＮＤが上蓋部材１１１及び下蓋部材１１２に導通して副基板６０が上蓋部材１１１と下蓋部材１１２とによってシールドされる。
【００５５】
次に、図８を用いて、第１の実施形態における主基板ユニット７０の構造を更に詳しく説明する。図８は、第１の実施形態における主基板ユニットの組立状態及び分解状態を示す斜視図である。
【００５６】
図８に示すように、主基板ユニット７０は、上蓋部材７３及び下蓋部材７４から成る内部が透視可能な樹脂製の部材により形成した第１ケース７１と、下蓋部材７４上に載置した状態で第１ケース７１内に収納する主基板５０とから構成される。下蓋部材７４は上部が開放した浅い箱形状の部材であり、四隅にネジ受けボス８３が形成され、その底面には主基板５０の第１コネクタ１００を下方へ突き出させる開口部７８が形成されている。また、下蓋部材７４の長辺一側部には、上記封止部７２を構成する封止受け部８４が設けてある。この下蓋部材７４のネジ受けボス８３上に載置される主基板５０の略四隅にも、上記ネジ受けボス８３のネジ穴形成位置に合せてネジ穴８５が形成され、この主基板５０上には、ＣＰＵ５２、ＲＡＭ５３、ＲＯＭ５４等が搭載されている。そして、この主基板５０の上部を覆う上蓋部材７３は下部が開放した略箱形状の部材であり、上述したように、下蓋部材７４と共に中空箱形状となるように形成してある。また、上蓋部材７３の上面側には、主基板ユニット７０を指で把持するための半円状の凹部８１を形成しており、上蓋部材７３の短辺側部には係止爪８２を突設している。また、この上蓋部材７３の長辺側部には、下蓋部材７４の封止受け部８４に結合する封止部７２を構成する封止頭部８８が設けてある。さらに、上蓋部材７３の上面の四隅には、上記ネジ受けボス８３のネジ穴形成位置、及び上記ネジ穴８５の形成位置に合せてネジ穴８６が形成してあり、下蓋部材７４、主基板５０及び上蓋部材７３を順に配して、上記ネジ穴８６、８５及びネジ受けボス８３のネジ穴を合わせ、下蓋部材７４、主基板５０及び上蓋部材７３が位置決めされた状態で上蓋部材７３の上面から上記ネジ穴８６、８５及びネジ受けボス８３のネジ穴にネジ８７を挿入して螺合し、封止受け部８４に封止頭部８８を封着して封止部７２を結合すると、これら下蓋部材７４、主基板５０及び上蓋部材７３が一体化されて、図８（ａ）に示すような主基板ユニット７０が完成する。なお、封止部７２は、その基部を切断しなければ第１ケース７１を開放することはできないので、主基板５０への不正行為を防止することができる。
【００５７】
そして、図９に示すように、主基板ユニット７０の凹部８１を指で把持して、副基板ユニット９０の凹室９４内に主基板ユニット７０を配置し、第２ケース９１の第２コネクタ１１０に、第１ケース７１の第１コネクタ１００を接続することにより、主基板ユニット７０及び副基板ユニット９０を合体させる。その際、第１ケース７１の一側部に突設した係止爪８２を、第２ケース９１の導電性部材の壁部９２の係止溝に係合させる。
【００５８】
この様に、本実施形態では、主基板５０が収納される第１ケース７１の背面に、副基板６０が収納された第２ケース９１を配置することに成り、主基板５０のＧＮＤはコネクタ１００、１１０を介して副基板６０のＧＮＤと導通する。
【００５９】
なお、副基板６０のＧＮＤは、例えば、図１０に示すような構造により、第２ケース９１に導通させてもよい。図１０において、遊技機１の裏機構盤にアルミニウム等の導電性板部材１２０を止着具１０２により固定する。そして、この導電性板部材１２０にネジ穴１２１を穿設して、上記ネジ穴１１３、１１６及びネジ受け穴１１８にネジ１１９を挿入して螺合することにより、上蓋部材１１１及び下蓋部材１１２を副基板６０のＧＮＤに接触させ、ネジ１１９を介して導電性板部材１２０に導通させる。その際、図１０に示すような銅等の良好な導電性を有する筒状の基板止着部材１２２を装着すれば、副基板６０と第２ケース９１との導通性能はより向上する。
また、主基板５０のＧＮＤを副基板６０のＧＮＤに導通させる構成としては、コネクタ接続に限らず上述した基板止着部材１２２を装着したり、あるいはネジを用いてもよい。
【００６０】
以上のように、第１の実施形態の遊技制御装置３１によれば、共通利用可能な部分であるＣＰＵ５２及びＲＯＭ５４等を備えた主基板５０と、機種に依存する部分である各種センサの入力回路及び各種電動式役物装置の出力回路を備えた副基板６０とに区分され、内部が透視可能に形成された樹脂製の第１ケース７１に主基板５０が収納されると共に、導電性の部材からなる第２ケース９１に副基板６０が収納されており、これら主基板５０と副基板６０とは、第１ケース７１の第１コネクタ１００と、第２ケース９１の第２コネクタ１１０とを接続して制御線が連結するように構成しており、共通利用可能な部分と機種に依存する部分とが分離可能であり、このような分離可能な構成においても、第１ケース７１の背面に第２ケース９１を配置すると共に、副基板６０のＧＮＤを第２ケース９１に導通するように構成しているので、ノイズ等の外的要因の影響を受け難く、誤作動を防止することができる。そして、主基板５０のＧＮＤをコネクタを介して、或いは他の導通部材を介して副基板６０のＧＮＤに導通すると、一層ノイズ等の影響を受け難くなり、誤作動防止の効果を更に向上せることができる。
また、ＣＰＵ５２及びＲＯＭ５４が配置される共通部分である主基板５０は樹脂製の第１ケースに収納されているので、詳細に視認可能であり、主基板５０への不正行為を防止することができる。
【００６１】
さらに、副基板６０を収納する中空箱形状に形成した第２ケース９１の周縁部（左下角部）に第１ケース７１が収まるように凹室９４を形成し、この凹室９４内に主基板５０を収納する樹脂製の第１ケース７１を配置しているので、共通部分である主基板５０を詳細に視認可能であり、主基板ユニット７０の分離作業や第１ケース７１の封止作業を行い易い。また、遊技制御装置３１を遊技機１の裏面の裏機構盤に取り付けた状態であっても、前面枠２を開けば、そのままの状態で第１ケース７１内の主基板５０を詳細に視認可能である。
【００６２】
そして、凹室９４は、上面及び二側面が開放した導電性の壁部９２、９３から成っており、二側面が開放部をＬ字形状の導電性の壁部９５で区画しているので、第１ケース７１に収納されている主基板５０もノイズ等の外的要因の影響を受け難く、誤作動が防止することができる。
【００６３】
次に、第２の実施形態の遊技制御装置１３１の構造について説明する。図１１は、第２の実施形態の遊技制御装置の合体状態及び分離状態を示す平面図である。なお、図１１において、上面とは、遊技機１の裏面側から直視した状態で見える面を意味し、第１の実施形態と同一符号は基本的に同一の部材や部位を示している。
【００６４】
図１１に示すように、第２の実施形態では、主基板ユニット７０は、副基板ユニット９０の中央部に配置してある。副基板ユニット９０を構成する第２ケース９１は、上記と同様に、アルミニウム等の導電性を有する部材を用いて、副基板６０を収納可能に中空箱形状に形成してあり、本実施形態では、この中空箱形状の中央部に第１ケース７１が収まるように上面が開放した導電性の四辺の壁部１３２、１３３、１３４、１３５から成る凹室９４を形成し、該凹室９４内に第１ケース７１を配置している。即ち、第１ケース７１は、凹室９４内に配置した状態で、導電性の壁部１３２、１３３、１３４、１３５で周囲が覆われており、長辺の壁部１３３、１３５には、第１ケース７１の長辺の両側に延出された封止部７２を収容する封止部収容室１３８が形成してある。
【００６５】
第２ケース９１の中央部に区画した凹室９４の底面は、上記アルミニウム等の導電性を有する部材によって形成されており、この底面の一部に形成した開口部１０３から副基板６０の第２コネクタ１１０が突き出している。そして、この第２ケース９１の上面には、上記凹室９４の両側に位置するように、複数列の長穴状の開口部１３９が形成してあり、機種に依存する部分である副基板６０上に搭載された各種センサの入力回路及び各種電動式役物装置の出力回路を構成する電子部品が上記開口部１３９を透して視認可能と成っている。
【００６６】
一方、第１ケース７１は、内部が透視可能な樹脂を用いて、第２ケース９１の凹室９４内に適合する大きさの中空箱形状に形成してあり、上蓋部材７３と下蓋部材７４とから成り、内部に主基板５０を収納した後、長辺の両側に延出された封止部７２を結合することにより、不正行為を防止するように成っている。この第１ケース７１の裏面側には開口部７８が形成され、この開口部７８から主基板５０の第１コネクタ１００が突き出している。
【００６７】
そして、主基板５０と副基板６０とは、第１ケース７１の開口部７８から臨む主基板５０に設けられた第１コネクタ１００と、第２ケース９１の開口部１０３から臨む副基板６０に設けられた第２コネクタ１１０とを接続して制御線が連結するように構成してあり、これらコネクタ１００、１１０には、該コネクタ１００、１１０を通じて副基板６０から主基板５０にロジック電源を供給すべく、電源供給端子やＧＮＤ（接地）端子も組み込まれている。
【００６８】
以上のように、第２の実施形態の遊技制御装置１３１によれば、副基板６０を収納する中空箱形状に形成した第２ケース９１の中央部に第１ケース７１が収まるように凹室９４を形成し、この凹室９４内に主基板５０を収納する樹脂製の第１ケース７１を配置したことにより、ＣＰＵ５２及びＲＯＭ５４が配置される共通部分を詳細に視認可能である。また、この凹室９４は、上面が開放した導電性の壁部１３２、１３３、１３４、１３５から成っており、周囲が導電性部材で覆われているので、第１ケース７１に収納されている主基板５０もノイズ等の外的要因の影響を受け難く、誤作動が防止することができる。さらに、導電性の部材からなる第２ケース９１の上面には複数列の長穴状の開口部１３９が形成してあり、これらの開口部１３９を介して第２ケース９１の内部が視認可能であるので、内部が透視可能な樹脂製の第１ケース７１に収納された主基板５０のみならず、副基板６０上の機種に依存する制御部品をも監視することができる。
【００６９】
次に、第３の実施形態の遊技制御装置１４１の構造について説明する。図１２は、第３の実施形態の遊技制御装置を示しており、（ａ）は副基板ユニットの金属上蓋部材のみを取り付けた状態の平面図、（ｂ）は副基板ユニットの金属上蓋部材及び樹脂上蓋部材を取り付けた状態の平面図、（ｃ）は主基板ユニットと副基板ユニットの合体状態を示す平面図である。なお、図１２において、上面とは、遊技機１の裏面側から直視した状態での面を意味し、第１の実施形態及び第２の実施形態と同一符号は基本的に同一の部材や部位を示している。
【００７０】
図１２に示すように、第３の実施形態では、主基板ユニット７０は、副基板ユニット９０の中央部に配置してある。副基板ユニット９０を構成する第２ケース９１は、電子部品を実装した内部のほぼ全体を視認可能な長方形状の開口窓１４２が形成された導電性の部材から成る中空箱形状の内箱１４３と、この内箱１４３が収納される透明な樹脂製の外箱１４４とから構成されている。上記内箱１４３は、アルミニウム等の導電性を有する部材を用いて、副基板６０を収納可能に中空箱形状に形成してあり、この中空箱形状の中央部に第１ケース７１を収納するために、上面が開放した導電性の四辺の壁部１３２、１３３、１３４、１３５から成る凹室９４を形成しており、長辺の壁部１３３、１３５には、封止部７２を収容する封止部収容室１３８が形成してある。
【００７１】
図１２（ａ）に示すように、内箱１４３の中央部に区画した凹室９４の底面は、上記アルミニウム等の導電性を有する部材によって形成されており、この底面の一部に形成した開口部１０３から副基板６０の第２コネクタ１１０が突き出している。そして、この内箱１４３の上面には、上記凹室９４の両側に位置するように、長方形状の大きな開口窓１４２が形成してあり、機種に依存する部分である副基板６０上に搭載された各種センサの入力回路及び各種電動式役物装置の出力回路を構成する電子部品が開口窓１４２から視認可能と成っている。
【００７２】
また、図１２（ｂ）に示すように、内箱１４３は、この内箱１４３よりも若干大きく、この内箱１４３の外観形状に沿って形成された樹脂製の外箱１４４によって覆われている。したがって、外箱１４４は、中空箱形状に形成され、その中央部に第１ケース７１を収納する上面が開放した樹脂製の四辺の壁部１４５、１４６、１４７、１４８から成る開口部１５０を形成しており、長辺の壁部１４６、１４８には、第１ケース７１の封止部７２をも収納すべく、上記封止部収容室１３８に対応した収容室１４９が形成してある。即ち、第３の実施形態では、副基板ユニット９０を構成する第２ケース９１が、導電性の部材から成る内箱１４３と、透明な樹脂製の外箱１４４との二重構造に形成されており、第２ケース９１の内部は透明な樹脂製の外箱１４４及び内箱１４３の上面に形成された開口窓１４２を介して視認可能と成っている。また、第２ケース９１を構成する外箱１４４の中央部に形成した開口部１５０の長辺部分内側、即ち、開口部１５０の上面両側部には、内側へ臨ませて係合爪１５３が形成してある。
【００７３】
一方、第１ケース７１は、第２の実施形態と同様に、内部が透視可能な樹脂を用いて、第２ケース９１の凹室９４内に適合する大きさの中空箱形状に形成してあり、上蓋部材７３と下蓋部材７４とから成り、内部に主基板５０を収納した後、長辺の両側に延出された封止部７２を結合することにより、不正行為を防止するように成っている。この第１ケース７１の裏面側には開口部７８が形成され、この開口部７８から主基板５０の第１コネクタ１００が突き出している。また、第１ケース７１の長辺部分の上記係合爪１５３に対向する部位には、該係合爪１５３を係合させる係合溝１５５が形成してある。
【００７４】
そして、主基板５０と副基板６０とは、第１ケース７１の開口部７８から臨む主基板５０に設けられた第１コネクタ１００と、第２ケース９１を構成する内箱１４３の開口部１０３から臨む副基板６０に設けられた第２コネクタ１１０とを接続して制御線が連結するように構成してあり、これらコネクタ１００、１１０には、該コネクタ１００、１１０を通じて副基板６０から主基板５０にロジック電源を供給すべく、電源供給端子やＧＮＤ（接地）端子も組み込まれている。これらコネクタ１００、１１０を接続する際、第１ケース７１に形成された係合溝に、外箱１４４の開口部１５０の両側上面に形成した係合爪１５３を係合させて、第１ケース７１と第２ケース９１とを一体化させる。なお、第１ケース７１は、凹室９４内に配置した状態で、樹脂製の外箱１４４を介して内箱１４３の導電性の壁部１３２、１３３、１３４、１３５で周囲が覆われており、第１ケース７１の長辺の両側に延出された封止部７２は開口耳部１５０及び封止部収容室１３８内に配されている。また、内箱１４３に大きな開口窓１４２が形成して、機種に依存する部分である副基板６０上に搭載された各種センサの入力回路及び各種電動式役物装置の出力回路を構成する電子部品が良く見えるので、不正改造を発見し易く、且つ開口窓１４２を透明な外箱１４４で覆ったので不正行為自体を防止し易い。
【００７５】
次に、第４の実施形態の遊技制御装置１６１の構造について説明する。図１３は、第４の実施形態の遊技制御装置を示す側面図である。また図１４は、第４の実施形態の遊技制御装置を示しており、（ａ）は副基板ユニットの金属上蓋部材のみを取り付けた状態の平面図、（ｂ）は副基板ユニットの金属上蓋部材及び樹脂上蓋部材を取り付けた状態の平面図、（ｃ）は主基板ユニットと副基板ユニットの合体状態を示す平面図である。なお、図１４において、上面とは、遊技機１の裏面側から直視した状態で見える面を意味し、第１の実施形態乃至第３の実施形態と同一符号は基本的に同一の部材や部位を示している。
【００７６】
これらの図に示すように、第４の実施形態では、主基板ユニット７０は、副基板ユニット９０の中央部に配置してあるが、副基板ユニット９０を構成する第２ケース９１の中央部に凹室を形成していない点が、第３の実施形態と異なる。即ち、副基板ユニット９０を構成する第２ケース９１は、内部を視認可能な長方形状の開口窓１４２が形成された導電性の部材から成る中空箱形状の内箱１４３と、この内箱１４３が収納される透明な樹脂製の外箱１４４とから構成されている。
【００７７】
図１４（ａ）に示すように、上記内箱１４３は、アルミニウム等の導電性を有する部材を用いて、副基板６０を収納可能に中空箱形状に形成してあり、この中空箱形状の中央部上面の一部に開口部１０３が形成されており、この開口部１０３から副基板６０の第２コネクタ１１０が突き出している。さらに、この内箱１４３の上面両側には、長方形状の大きな開口窓１４２が形成してあり、機種に依存する部分である副基板６０上に搭載された各種センサの入力回路及び各種電動式役物装置の出力回路を構成する電子部品の全部が視認可能と成っている。
【００７８】
また、図１４（ｂ）に示すように、内箱１４３の上方は、この内箱１４３よりも若干大きく、この内箱１４３の外観形状に沿って形成された樹脂製の外箱１４４によって覆われている。したがって、外箱１４４は、中空箱形状に形成され、その中央部上面の一部に上記開口部１０３と一致する開口部１６２が形成されており、これら開口部１０３、１６２から副基板６０の第２コネクタ１１０が突き出している。即ち、図１３に示すように、第４の実施形態では、第３の実施形態と同様に、副基板ユニット９０を構成する第２ケース９１が導電性の部材から成る内箱１４３と、透明な樹脂製の外箱１４４との二重構造に形成されており、第２ケース９１の内部が透明な樹脂製の外箱１４４及び内箱１４３の上面に形成された開口窓１４２を介して視認可能と成っている。また、第２ケース９１を構成する外箱１４４の上面中央部の上記コネクタ１１０の両側には、上方に延びるように突設されると共に、その先端部に係合爪１６５が形成された可撓性を有する第１腕部１６６及び第２腕部１６７を形成してある。
【００７９】
一方、第１ケース７１は、第２及び第３の実施形態と同様に、内部が透視可能な樹脂を用いて、略中空箱形状に形成してあり、上蓋部材７３と下蓋部材７４とから成り、内部に主基板５０を収納した後、長辺の両側に延出された封止部７２を結合することにより、不正行為を防止するように成っている。この第１ケース７１の裏面側には開口部７８が形成され、この開口部７８から下面へ向けて主基板５０の第１コネクタ１００が突き出している。
【００８０】
そして、主基板５０と副基板６０とは、第１ケース７１の開口部７８から臨む主基板５０に設けられた第１コネクタ１００と、第２ケース９１を構成する内箱１４３の開口部１０３及び外箱１４４の開口部１６２から臨む副基板６０に設けられた第２コネクタ１１０と、を接続して制御線が連結するように構成してあり、これらコネクタ１００、１１０には、該コネクタ１００、１１０を通じて副基板６０から主基板５０にロジック電源を供給すべく、電源供給端子やＧＮＤ（接地）端子も組み込まれている。そして、これらコネクタ１００、１１０を接続する際、上記外箱１４４の第１腕部１６６及第２腕部１６７によって第１ケース７１を第２ケース９１に重ねた状態で挟持すると共に、第１ケース７１に第１腕部１６６及第２腕部１６７の係合爪１６５を係合させて保持し、第１ケース７１と第２ケース９１とを一体化させる。図１３に示すように、主基板ユニット７０は、コネクタ１００、１１０を接続した状態で、副基板ユニット９０の上部に搭載された状態で突き出しており、いわゆる二階建て構造を呈している。
【００８１】
以上のように、第４の実施形態の遊技制御装置１４１によれば、基本的には第３の実施形態と同様の作用効果を奏するが、特に第４の実施形態では、樹脂製の第１ケース７１が導電性の部材から成る第２ケース９１の内箱１４３によって囲まれていないけれども、主基板５０を収納する第１ケース７１の背面が導電性の部材から成る第２ケース９１の内箱１４３によって遮断されているので、ノイズ等の外部要因による誤作動を防止しうるものである。また、第２ケース９１に凹室を形成しないので、製造が容易である。
【００８２】
以上説明したように、本発明の遊技機１によれば、上記の実施形態の遊技制御装置３１，１３１，１４１，１６１において、共通利用可能な部分である主基板５０と、機種依存する部分である副基板６０とを分離可能とし、この分離可能な構成を採っても、主基板５０のＧＮＤ面積が副基板６０を介して増加する上に、主基板５０の背面に導電性の部材から成る第２ケース９１が配設されるので、背面側（遊技盤側）からのノイズの影響を抑止でき、分離したことにより生じるノイズ等の外的要因による誤動作の影響を抑止できるようになった。このことから、例えば、異なる機種、機類（１種、２種、３種等）によって、遊技盤等に使用する電気部品（例えば、ソレノイドやモータ等）の数や種類が異なったものとしても、遊技制御装置３１のうちの主基板５０は共通に使用でき、副基板６０の部分だけ異なる構成とすることで、主基板５０のリサイクルが容易にでき、コストダウン、資源の有効利用を行いつつ、不正の抑制を効果的に行え、またノイズに強い遊技制御装置を提供することができる。
【００８３】
また、第１乃至第３の実施形態では、主基板５０を収納する第１ケース７１を副基板６０の第２ケース９１に形成した凹室９４に収納して取り付けることで、第１ケース７１の下面及び側面が囲われ、遊技機側やその他の側からのノイズからの影響を抑止することができ、このような構成においても、内部が透視可能な樹脂製の第１ケース７１の上面は視認可能であるので、不正行為を確実に監視しうるものである。
【００８４】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【産業上の利用可能性】
【００８５】
本発明は、例示したパチンコ機のみならず、パチスロ機、雀球機、アレンジボール機等のように、遊技領域における遊技を統括的に制御する遊技制御装置を備えた遊技機に広く適用しうるものである。
【図面の簡単な説明】
【００８６】
【図１】パチンコ遊技機の前面構成を示す正面図である。
【図２】遊技制御装置を中心とする制御系を示すブロック図である。
【図３】第１の実施形態の遊技制御装置を示す平面図及び側面図である。
【図４】第１の実施形態における副基板ユニットを示す平面図及び側面図である。
【図５】第１の実施形態における主基板ユニットの表面側及び裏面側を示す図である。
【図６】第１の実施形態における副基板ユニットの組立状態を示す斜視図である。
【図７】第１の実施形態における副基板ユニットの分解状態を示す斜視図である。
【図８】第１の実施形態における主基板ユニットの組立状態及び分解状態を示す斜視図である。
【図９】第１の実施形態における主基板ユニットと副基板ユニットの分離状態及び合体状態を示す斜視図である。
【図１０】第１の実施形態における副基板と第２ケースとの導通構造を示す模式図である。
【図１１】第２の実施形態の遊技制御装置の合体状態及び分離状態を示す平面図である。
【図１２】第３の実施形態の遊技制御装置を示しており、（ａ）は副基板ユニットの金属上蓋部材のみを取り付けた状態の平面図、（ｂ）は副基板ユニットの金属上蓋部材及び樹脂上蓋部材を取り付けた状態の平面図、（ｃ）は主基板ユニットと副基板ユニットの合体状態を示す平面図である。
【図１３】第４の実施形態の遊技制御装置を示す側面図である。
【図１４】第４の実施形態の遊技制御装置を示しており、（ａ）は副基板ユニットの金属上蓋部材のみを取り付けた状態の平面図、（ｂ）は副基板ユニットの金属上蓋部材及び樹脂上蓋部材を取り付けた状態の平面図、（ｃ）は主基板ユニットと副基板ユニットの合体状態を示す平面図である。
【符号の説明】
【００８７】
１  遊技機
２  前面枠
３  遊技盤
７  遊技領域
３１  遊技制御装置
４５  定電圧回路
４６  ロジック電源回路
５０  主基板
５１  発振器
５２  ＣＰＵ
５３  ＲＡＭ
５４  ＲＯＭ
５８  デコード回路
６０  副基板
６１ａ，６１ｂ  ラッチ回路
６２  通信ドライブ回路
６３  ソレノイドドライブ回路
６４  接点ドライブ回路
６５ａ，６５ｂ  バッファ回路
６６ａ、６６ｂ  電圧変換回路
６７ａ、６７ｂ  フィルタ回路
６８  整流回路
６９  平滑回路
７０  主基板ユニット
７１  第１ケース
７２  封止部
７３  上蓋部材
７４  下蓋部材
７８  開口部
８１  凹部
８２  係止爪
９０  副基板ユニット
９１  第２ケース
９２、９３  導電性の壁部
９４  凹室
９８  Ｌ字形状の導電性の壁部
９９  スリット
１００  第１コネクタ
１０１  コネクタ
１０２  止着具
１０３  開口部
１１０  第２コネクタ
１１１  上蓋部材
１１２  下蓋部材
１２０  導電性板部材
１２２  基板止着部材
１３１  遊技制御装置
１３２、１３３、１３４、１３５  導電性の壁部
１３９  開口部
１４１  遊技制御装置
１４２  開口窓
１４３  内箱
１４４  外箱
１４５、１４６、１４７、１４８  樹脂製の壁部
１５０  開口部
１５３  係合爪
１５５  係合溝
１６１  遊技制御装置
１６２  開口部
１６５  係合爪
１６６  第１腕部
１６７  第２腕部